(57)【要約】      （修正有）【課題】１つ又は複数のチャネルを復号するためにチャネルを推定する際に利用すべき基準信号（ＲＳ）又は他のトーンを選択することを含む方法及び装置を提供する。【解決手段】ＲＳトーンが他の基地局によって干渉される場合、ＲＳトーンに対して干渉キャンセルが実行される。干渉はトーンにわたって異なり得るので、干渉キャンセルは、異なる品質のＲＳトーンを生じ得る。したがって、ＲＳトーンの各々の品質が判断され、チャネルを推定するためにＲＳトーンの少なくともサブセットが選択される。追加又は代替として、ＲＳトーンを使用してチャネル推定を実行するために、ＲＳトーンは重み付けされるか又は場合によっては分類される。【選択図】図５
2015122765.tif 000002
【特許請求の範囲】
【請求項１】
第１の基地局から複数の基準信号（ＲＳ）中で複数の基準信号トーンを受信することと、
少なくとも１つの他の基地局からの干渉を除去するために前記複数のＲＳトーンを修正することと、
修正された前記複数のＲＳトーンの品質を判断することと、
前記複数のＲＳトーンの前記品質に基づいて少なくとも１つのデータトーンの少なくとも１つのチャネル推定値を取得することと、
前記少なくとも１つのチャネル推定値に基づいて前記第１の基地局のデータチャネルを復号することと
を備える、ワイヤレス通信の方法。
【請求項２】
前記複数のＲＳトーンの前記品質を前記判断することは、前記修正することの間に、前記少なくとも１つの他の基地局によって前記複数のＲＳトーン上で送信された信号がキャンセルされるかどうかを判断することを備える、
請求項１に記載の方法。
【請求項３】
前記複数のＲＳトーンの前記品質を前記判断することは、前記複数のＲＳトーン上で前記少なくとも１つの他の基地局によって信号が送信されるかどうかを判断することを備える、
請求項１に記載の方法。
【請求項４】
前記複数のＲＳトーン上で前記少なくとも１つの他の基地局によって前記信号が送信されるかどうかを前記判断することは、
前記第１の基地局と前記少なくとも１つの他の基地局との間のリソース区分、
前記第１の基地局と前記少なくとも１つの他の基地局とのマルチメディアブロードキャストオーバー単一周波数ネットワーク（ＭＢＳＦＮ）／オールモストブランクサブフレーム（ＡＢＳ）構成、あるいは
前記複数のＲＳトーンおよび干渉キャンセルＲＳトーンのうちの少なくとも１つ、別のデータトーン、ヌルトーン、あるいは前記ＭＢＳＦＮ／ＡＢＳ構成に関係する１つまたは複数のトーンの間の受信電力比較
のうちの少なくとも１つに部分的に基づく、請求項３に記載の方法。
【請求項５】
前記複数のＲＳトーンの前記品質を前記判断することは、前記データチャネルからの前記複数のＲＳトーンの時間における距離、周波数オフセット、またはワイヤレスチャネルの変化率のうちの１つまたは複数に部分的に基づく、
請求項１に記載の方法。
【請求項６】
前記データチャネルを復号することは、前記少なくとも１つのデータトーンのための少なくとも２つのチャネル推定値を使用して復号することを試みることを備える、
請求項１に記載の方法。
【請求項７】
前記少なくとも２つのチャネル推定値は、
前記複数のＲＳトーンの組合せ、または
前記複数のＲＳトーンに対する異なる重み
のうちの少なくとも１つを使用する、請求項６に記載の方法。
【請求項８】
前記複数のＲＳトーンの前記品質に関係する前記複数のＲＳトーンの分類に基づいて、前記複数のＲＳトーンの前記組合せまたは前記複数のＲＳトーンに対する前記異なる重みのうちの前記少なくとも１つを選択することをさらに備える、
請求項７に記載の方法。
【請求項９】
前記データチャネルと同様の品質を有すると判断された前記複数のＲＳトーンのサブセットと、データトーンのセットと、ヌルトーンのセットとのうちの１つまたは複数に基づいて少なくとも１つの干渉推定値を取得することをさらに備え、前記復号することは、前記少なくとも１つの干渉推定値にさらに基づく、
請求項１に記載の方法。
【請求項１０】
前記第１の基地局と前記少なくとも１つの他の基地局とが衝突しているＲＳトーンを有するか衝突していないＲＳトーンを有するか、前記第１の基地局と前記少なくとも１つの他の基地局との間のリソース区分、あるいは前記複数のＲＳトーンがその上で受信されるサブフレームがマルチメディアブロードキャスト単一周波数ネットワーク（ＭＢＳＦＮ）サブフレーム、オールモストブランクサブフレーム（ＡＢＳ）構成であるかどうか、あるいは前記複数のＲＳトーンおよび干渉キャンセルＲＳトーンのうちの少なくとも１つまたは別のデータトーンの間の受信電力比較に基づいて、前記複数のＲＳトーンの前記サブセットを判断することをさらに備える、
請求項９に記載の方法。
【請求項１１】
前記修正することは、前記少なくとも１つの他の基地局から受信されたＲＳ、別のデータチャネル、またはブロードキャストチャネルのうちの１つまたは複数によって引き起こされる前記干渉をキャンセルすることを備える、
請求項１に記載の方法。
【請求項１２】
前記データチャネルは、プライマリブロードキャストチャネルである、
請求項１に記載の方法。
【請求項１３】
第１の基地局から複数の基準信号（ＲＳ）中で複数の基準信号トーンを受信するための手段と、
少なくとも１つの他の基地局からの干渉を除去するために前記複数のＲＳトーンを修正するための手段と、
修正された前記複数のＲＳトーンの品質を判断するための手段と、
前記複数のＲＳトーンの前記品質に基づいて少なくとも１つのデータトーンの少なくとも１つのチャネル推定値を取得するための手段と、
前記少なくとも１つのチャネル推定値に基づいて前記第１の基地局のデータチャネルを復号するための手段と
を備える、ワイヤレス通信のための装置。
【請求項１４】
判断するための前記手段は、修正するための前記手段が、前記少なくとも１つの他の基地局によって前記複数のＲＳトーン上で送信された信号をキャンセルするかどうかに基づいて前記複数のＲＳトーンの前記品質を判断する、
請求項１３に記載の装置。
【請求項１５】
判断するための前記手段は、前記複数のＲＳトーン上で前記少なくとも１つの他の基地局によって信号が送信されるかどうかに部分的に基づいて前記複数のＲＳトーンの前記品質を判断する、
請求項１３に記載の装置。
【請求項１６】
少なくとも１つのプロセッサであって、
第１の基地局から複数の基準信号（ＲＳ）中で複数の基準信号トーンを受信することと、
少なくとも１つの他の基地局からの干渉を除去するために前記複数のＲＳトーンを修正することと、
修正された前記複数のＲＳトーンの品質を判断することと、
前記複数のＲＳトーンの前記品質に基づいて少なくとも１つのデータトーンの少なくとも１つのチャネル推定値を取得することと、
前記少なくとも１つのチャネル推定値に基づいて前記第１の基地局のデータチャネルを復号することと
を行うように構成された、少なくとも１つのプロセッサと、
前記少なくとも１つのプロセッサに結合されたメモリと
を備える、ワイヤレス通信のための装置。
【請求項１７】
前記少なくとも１つのプロセッサは、前記複数のＲＳトーンを前記少なくとも修正することの一部として、前記少なくとも１つの他の基地局によって前記複数のＲＳトーン上で送信された信号がキャンセルされるかどうかに基づいて前記複数のＲＳトーンの前記品質を判断する、
請求項１６に記載の装置。
【請求項１８】
前記少なくとも１つのプロセッサは、前記複数のＲＳトーン上で前記少なくとも１つの他の基地局によって信号が送信されるかどうかに基づいて前記複数のＲＳトーンの前記品質を判断する、
請求項１６に記載の装置。
【請求項１９】
前記少なくとも１つのプロセッサは、
前記第１の基地局と前記少なくとも１つの他の基地局との間のリソース区分、
前記第１の基地局と前記少なくとも１つの他の基地局とのマルチメディアブロードキャストオーバー単一周波数ネットワーク（ＭＢＳＦＮ）／オールモストブランクサブフレーム（ＡＢＳ）構成、あるいは
前記複数のＲＳトーンおよび干渉キャンセルＲＳトーンのうちの少なくとも１つ、別のデータトーン、ヌルトーン、あるいは前記ＭＢＳＦＮ／ＡＢＳ構成に関係する１つまたは複数のトーンの間の受信電力比較
のうちの少なくとも１つに部分的に基づいて、前記複数のＲＳトーン上で前記少なくとも１つの他の基地局によって前記信号が送信されるかどうかを判断するようにさらに構成される、
請求項１８に記載の装置。
【請求項２０】
前記少なくとも１つのプロセッサは、前記データチャネルからの前記複数のＲＳトーンの時間における距離、周波数オフセット、またはワイヤレスチャネルの変化率のうちの１つまたは複数に部分的に基づいて前記複数のＲＳトーンの前記品質を判断する、
請求項１６に記載の装置。
【請求項２１】
前記少なくとも１つのプロセッサは、前記少なくとも１つのデータトーンのための少なくとも２つのチャネル推定値を使用して復号することを試みることに基づいて前記データチャネルを復号する、
請求項１６に記載の装置。
【請求項２２】
前記少なくとも２つのチャネル推定値は、
前記複数のＲＳトーンの組合せ、または
前記複数のＲＳトーンに対する異なる重み
のうちの少なくとも１つを使用する、請求項２１に記載の装置。
【請求項２３】
前記少なくとも１つのプロセッサは、前記複数のＲＳトーンの前記品質に関係する前記複数のＲＳトーンの分類に基づいて、前記複数のＲＳトーンの前記組合せまたは前記複数のＲＳトーンに対する前記異なる重みのうちの前記少なくとも１つを選択するようにさらに構成される、
請求項２２に記載の装置。
【請求項２４】
前記少なくとも１つのプロセッサは、前記データチャネルと同様の品質を有すると判断された前記複数のＲＳトーンのサブセットと、データトーンのセットと、ヌルトーンのセットとのうちの１つまたは複数に基づいて少なくとも１つの干渉推定値を取得するようにさらに構成され、前記少なくとも１つのプロセッサは、前記少なくとも１つの干渉推定値にさらに基づいて前記データチャネルを復号する、
請求項１６に記載の装置。
【請求項２５】
前記少なくとも１つのプロセッサは、前記第１の基地局と前記少なくとも１つの他の基地局とが衝突しているＲＳトーンを有するか衝突していないＲＳトーンを有するか、前記第１の基地局と前記少なくとも１つの他の基地局との間のリソース区分、あるいは前記複数のＲＳトーンがその上で受信されるサブフレームがマルチメディアブロードキャスト単一周波数ネットワーク（ＭＢＳＦＮ）サブフレーム、オールモストブランクサブフレーム（ＡＢＳ）構成であるかどうか、あるいは前記複数のＲＳトーンおよび干渉キャンセルＲＳトーンのうちの少なくとも１つまたは別のデータトーンの間の受信電力比較に基づいて、前記複数のＲＳトーンの前記サブセットを判断する、
請求項２４に記載の装置。
【請求項２６】
前記少なくとも１つのプロセッサは、前記少なくとも１つの他の基地局から受信されたＲＳ、別のデータチャネル、またはブロードキャストチャネルのうちの１つまたは複数によって引き起こされる前記干渉をキャンセルすることに部分的によって前記複数のＲＳトーンを修正する、
請求項１６に記載の装置。
【請求項２７】
前記データチャネルは、プライマリブロードキャストチャネルである、
請求項１６に記載の装置。
【請求項２８】
第１の基地局から複数の基準信号（ＲＳ）中で複数の基準信号トーンを受信することを少なくとも１つのコンピュータに行わせるためのコードと、
少なくとも１つの他の基地局からの干渉を除去するために前記複数のＲＳトーンを修正することを前記少なくとも１つのコンピュータに行わせるためのコードと、
修正された前記複数のＲＳトーンの品質を判断することを前記少なくとも１つのコンピュータに行わせるためのコードと、
前記複数のＲＳトーンの前記品質に基づいて少なくとも１つのデータトーンの少なくとも１つのチャネル推定値を取得することを前記少なくとも１つのコンピュータに行わせるためのコードと、
前記少なくとも１つのチャネル推定値に基づいて前記第１の基地局のデータチャネルを復号することを前記少なくとも１つのコンピュータに行わせるためのコードと
を備える、コンピュータ可読媒体
を備える、ワイヤレス通信のためのコンピュータプログラム製品。
【請求項２９】
判断することを前記少なくとも１つのコンピュータに行わせるための前記コードは、前記修正することの間に、前記少なくとも１つの他の基地局によって前記複数のＲＳトーン上で送信された信号がキャンセルされるかどうかに基づいて前記複数のＲＳトーンの前記品質を判断する、
請求項２８に記載のコンピュータプログラム製品。
【請求項３０】
判断することを前記少なくとも１つのコンピュータに行わせるための前記コードは、前記複数のＲＳトーン上で前記少なくとも１つの他の基地局によって信号が送信されるかどうかに基づいて前記複数のＲＳトーンの前記品質を判断する、
請求項２８に記載のコンピュータプログラム製品。
【請求項３１】
サブフレーム中で第２の基地局のチャネルを復号するのを助けるために第１の基地局においてトーンをミュートするための方法であって、
基地局がその上で基準信号を送信する１つまたは複数のトーンのロケーションを判断することと、
前記１つまたは複数のトーンの前記ロケーションに対応するトーンのサブセットをミュートすることと
を備える、方法。
【請求項３２】
前記ロケーションを前記判断することは、前記基地局がその上で物理ブロードキャストチャネルを送信するサブフレームのサブセット中の前記１つまたは複数のトーンの前記ロケーションを判断することを備える、
請求項３１に記載の方法。
【請求項３３】
前記ミュートすることは、前記１つまたは複数のトーンに対応する直交周波数分割多重化シンボルのサブセット上の複数の中心リソースブロックに対応するトーンの前記サブセットをミュートすることを備える、
請求項３１に記載の方法。
【請求項３４】
サブフレーム中で第２の基地局のチャネルを復号するのを助けるために第１の基地局においてトーンをミュートするための装置であって、
基地局がその上で基準信号を送信する１つまたは複数のトーンのロケーションを判断するための手段と、
前記１つまたは複数のトーンの前記ロケーションに対応するトーンのサブセットをミュートするための手段と
を備える、装置。
【請求項３５】
前記ロケーションを前記判断することは、前記基地局がその上で物理ブロードキャストチャネルを送信するサブフレームのサブセット中の前記１つまたは複数のトーンの前記ロケーションを判断することを備える、
請求項３４に記載の装置。
【請求項３６】
サブフレーム中で第２の基地局のチャネルを復号するのを助けるために第１の基地局においてトーンをミュートするための装置であって、
少なくとも１つのプロセッサであって、
基地局がその上で基準信号を送信する１つまたは複数のトーンのロケーションを判断することと、
前記１つまたは複数のトーンの前記ロケーションに対応するトーンのサブセットをミュートすることと
を行うように構成された、少なくとも１つのプロセッサと、
前記少なくとも１つのプロセッサに結合されたメモリと
を備える、装置。
【請求項３７】
前記少なくとも１つのプロセッサは、前記基地局がその上で物理ブロードキャストチャネルを送信するサブフレームのサブセット中の前記１つまたは複数のトーンの前記ロケーションを判断する、
請求項３６に記載の装置。
【請求項３８】
前記少なくとも１つのプロセッサは、前記１つまたは複数のトーンに対応する直交周波数分割多重化シンボルのサブセット上の複数の中心リソースブロックに対応するトーンの前記サブセットをミュートする、
請求項３６に記載の装置。
【請求項３９】
サブフレーム中で第２の基地局のチャネルを復号するのを助けるために第１の基地局においてトーンをミュートするためのコンピュータプログラム製品であって、
基地局がその上で基準信号を送信する１つまたは複数のトーンのロケーションを判断することを少なくとも１つのコンピュータに行わせるためのコードと、
前記１つまたは複数のトーンの前記ロケーションに対応するトーンのサブセットをミュートすることを前記少なくとも１つのコンピュータに行わせるためのコードと
を備える、コンピュータ可読媒体
を備える、コンピュータプログラム製品。
【請求項４０】
判断することを前記少なくとも１つのコンピュータに行わせるための前記コードは、前記基地局がその上で物理ブロードキャストチャネルを送信するサブフレームのサブセット中の前記１つまたは複数のトーンの前記ロケーションを判断する、
請求項３９に記載のコンピュータプログラム製品。
【発明の詳細な説明】
【関連出願】
【０００１】
関連出願の相互参照
本特許出願は、その内容全体が参照により本明細書に明確に組み込まれる、２０１１年４月１２日に出願された「Method and Apparatus for Selective Reference Signal Use in Physical Broadcast Channel Interference Cancelation」と題する仮出願第６１／４７４，６９９号、および２０１１年１０月７日に出願された「METHOD AND APPARATUS FOR SELECTING REFERENCE SIGNAL TONES FOR DECODING A CHANNEL」と題する米国特許出願第１３／２６９，４０８号の優先権を主張する。
【技術分野】
【０００２】
以下の説明は、一般にワイヤレスネットワーク通信に関し、より詳細には、通信を復号するために基準信号を使用することに関する。
【背景技術】
【０００３】
ワイヤレス通信システムは、たとえば、ボイス、データなどの様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、これらのシステムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、（たとえば、３ＧＰＰ  ＬＴＥ（Ｌｏｎｇ  Ｔｅｒｍ  Ｅｖｏｌｕｔｉｏｎ）／ＬＴＥ−Ａｄｖａｎｃｅｄ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの仕様に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は、基地局からモバイルデバイスへの通信リンクを指し、逆方向リンク（またはアップリンク）は、モバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。
【０００５】
さらに、いくつかのワイヤレスネットワークは、デバイスが、代替ワイヤレスネットワークアクセスを受信するためにそれに接続することができる低電力基地局（たとえば、フェムトノード、ピコノード、マイクロノードなど）の展開を可能にする。たとえば、低電力基地局は、デバイスがワイヤレスネットワークへのアクセスを受信するためにそれと通信することができるアクセスリンクをも与えながら、ブロードバンドまたは他のバックホール接続（たとえば、デジタル加入者回線（ＤＳＬ）接続、Ｔ１接続、ケーブル接続など）を介してワイヤレスネットワークと通信することができる。低電力基地局はマクロセル基地局カバレージエリア内に展開され得、したがって、いくつかの例では、低電力基地局と通信しているデバイスは、マクロセル基地局からよりも低い経路損失を有し得るが、マクロセル基地局からの送信ダウンリンク電力がより強いことに起因して、マクロセル基地局よりも低い受信電力を有し得る。しかしながら、デバイスは、（たとえば、追加のサービス、増加したデータレート、または全体的なシステム性能を改善することができる他のファクタを受け取るために）低電力基地局と通信すること、および／またはそれとの接続を確立すること望み得、その場合、マクロセル基地局は、デバイスにおいてフェムトノードからの通信に干渉を引き起こし得る。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびそれの対応する開示によれば、本開示は、別の基地局によってフェムトノードまたは同様の低電力基地局のブロードキャストチャネル上で引き起こされる干渉をキャンセルすることに関する様々な態様について説明する。たとえば、デバイスは、フェムトノードの複数の基準信号（ＲＳ：reference signal）から複数のＲＳトーンを取得することができ、１つまたは複数の他の基地局からの干渉を除去するためにＲＳトーンを修正することができる。デバイスは、ＲＳトーンの各々に関連する品質を判断することができ、その品質に基づいて、チャネルを推定するために利用すべきであり、データチャネルがそれから復号され得る、ＲＳトーンの少なくともサブセットを判断することができる。たとえば、デバイスは、複数のＲＳトーンの各々上で異なる干渉レベルを経験し得、したがって、干渉キャンセル後のＲＳトーンの品質を判断することにより、デバイスが、データチャネルを復号するためにチャネルを推定するのにより好都合なトーンを利用することが可能になる。
【０００８】
一例によれば、第１の基地局から複数の基準信号からの複数のＲＳトーンを受信することと、少なくとも別の基地局からの干渉を除去するために複数のＲＳトーンを修正することと、修正された複数のＲＳトーンの品質を判断することとを含む、ワイヤレス通信の方法が提供される。本方法はさらに、複数のＲＳトーンの品質に基づいて少なくとも１つのチャネル推定値を取得することと、少なくとも１つのチャネル推定値に基づいて第１の基地局のデータチャネルを復号することとを含む。
【０００９】
別の態様では、ワイヤレス通信のための装置が提供される。本装置は、第１の基地局から複数の基準信号中で複数のＲＳトーンを受信するための手段と、少なくとも１つの他の基地局からの干渉を除去するために複数のＲＳトーンを修正するための手段と、修正された複数のＲＳトーンの品質を判断するための手段とを含む。本装置はまた、複数のＲＳトーンの品質に基づいて少なくとも１つのデータトーンの少なくとも１つのチャネル推定値を取得するための手段と、少なくとも１つのチャネル推定値に基づいて第１の基地局のデータチャネルを復号するための手段とを含む。
【００１０】
さらに別の態様では、第１の基地局から複数の基準信号中で複数のＲＳトーンを受信することと、少なくとも１つの他の基地局からの干渉を除去するために複数のＲＳトーンを修正することと、修正された複数のＲＳトーンの品質を判断することとを行うように構成された少なくとも１つのプロセッサを含む、ワイヤレス通信のための装置が提供される。少なくとも１つのプロセッサはさらに、複数のＲＳトーンの品質に基づいて少なくとも１つのデータトーンの少なくとも１つのチャネル推定値を取得することと、少なくとも１つのチャネル推定値に基づいて第１の基地局のデータチャネルを復号することとを行うように構成される。本装置はさらに、少なくとも１つのプロセッサに結合されたメモリを含む。
【００１１】
さらに、別の態様では、第１の基地局から複数の基準信号中で複数のＲＳトーンを受信することを少なくとも１つのコンピュータに行わせるためのコードと、少なくとも１つの他の基地局からの干渉を除去するために複数のＲＳトーンを修正することを少なくとも１つのコンピュータに行わせるためのコードと、修正された複数のＲＳトーンの品質を判断することを少なくとも１つのコンピュータに行わせるためのコードとを有するコンピュータ可読媒体を含む、ワイヤレス通信のためのコンピュータプログラム製品が提供される。コンピュータ可読媒体はさらに、複数のＲＳトーンの品質に基づいて少なくとも１つのデータトーンの少なくとも１つのチャネル推定値を取得することを少なくとも１つのコンピュータに行わせるためのコードと、少なくとも１つのチャネル推定値に基づいて第１の基地局のデータチャネルを復号することを少なくとも１つのコンピュータに行わせるためのコードとを含む。
【００１２】
一例によれば、基地局がその上で基準信号を送信する１つまたは複数のトーンのロケーションを判断することと、１つまたは複数のトーンのロケーションに対応するトーンのサブセットをミュートすることとを含む、サブフレーム中で第２の基地局のチャネルを復号するのを助けるために第１の基地局においてトーンをミュートするための方法が提供される。
【００１３】
別の態様では、サブフレーム中で第２の基地局のチャネルを復号するのを助けるために第１の基地局においてトーンをミュートするための装置が提供される。本装置は、基地局がその上で基準信号を送信する１つまたは複数のトーンのロケーションを判断するための手段と、１つまたは複数のトーンのロケーションに対応するトーンのサブセットをミュートするための手段とを含む。
【００１４】
さらに別の態様では、基地局がその上で基準信号を送信する１つまたは複数のトーンのロケーションを判断するように構成された少なくとも１つのプロセッサを含む、サブフレーム中で第２の基地局のチャネルを復号するのを助けるために第１の基地局においてトーンをミュートするための装置が提供される。少なくとも１つのプロセッサはさらに、１つまたは複数のトーンのロケーションに対応するトーンのサブセットをミュートするように構成される。本装置はさらに、少なくとも１つのプロセッサに結合されたメモリを含む。
【００１５】
さらに、別の態様では、基地局がその上で基準信号を送信する１つまたは複数のトーンのロケーションを判断することを少なくとも１つのコンピュータに行わせるためのコードを有するコンピュータ可読媒体を含む、サブフレーム中で第２の基地局のチャネルを復号するのを助けるために第１の基地局においてトーンをミュートするためのコンピュータプログラム製品が提供される。コンピュータ可読媒体はさらに、１つまたは複数のトーンのロケーションに対応するトーンのサブセットをミュートすることを少なくとも１つのコンピュータに行わせるためのコードを含む。
【００１６】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１７】
以下で、開示する態様を説明するために、および開示する態様を限定しないように提供された添付の図面とともに、開示する態様について説明する。図中、同様の表示は同様の要素を示す。
【図面の簡単な説明】
【００１８】
【図１】基地局通信を復号するためのシステムの一態様のブロック図。
【図２】基地局からの干渉キャンセル通信を復号するためのシステムの一態様のブロック図。
【図３】フェムトノードによって使用される基準信号（ＲＳ）トーンをミュートするためのシステムの一態様のブロック図。
【図４】例示的なフレーム構造のブロック図。
【図５】ＲＳトーン品質を判断することに基づいてブロードキャストチャネルを復号するための方法の一態様のフローチャート。
【図６】チャネルを復号するためにＲＳトーンを重み付けする一態様のフローチャート。
【図７】チャネルを復号するためにＲＳトーンを分類するための方法の一態様のフローチャート。
【図８】フェムトノードによって使用されるＲＳトーンをミュートするための方法の一態様のフローチャート。
【図９】本明細書で説明する態様による、例示的なモバイルデバイスの一態様のブロック図。
【図１０】本明細書で説明する態様による、例示的なシステムの一態様のブロック図。
【図１１】本明細書に記載する様々な態様による、ワイヤレス通信システムの一態様のブロック図。
【図１２】本明細書で説明する様々なシステムおよび方法と併せて採用され得るワイヤレスネットワーク環境の一態様の概略ブロック図。
【発明を実施するための形態】
【００１９】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００２０】
本明細書では、干渉キャンセル基準信号（ＲＳ）トーンの品質に部分的に基づいてフェムトノードまたは他の低電力基地局のチャネルを推定することに関係する様々な考慮事項についてさらに説明する。本明細書で説明する態様ではしばしばフェムトノードに言及するが、機能を実行し、本明細書で説明する結果を達成するために、ホームノードＢまたはホームｅノードＢ（Ｈ（ｅ）ＮＢ）、ピコノード、マイクロノードなど、実質的に任意の低い電力基地局が使用され得ることを諒解されたい。たとえば、デバイスは、マクロセル基地局から受信されたＲＳからのチャネル推定値を使用してマクロセル基地局のブロードキャストチャネルを復号することができ、ＲＳ、対応するデータ領域、またはＲＳとデータ領域の両方のいずれかからのチャネル推定値を使用することによってマクロセル基地局のブロードキャストチャネルをキャンセルすることができる。デバイスは、より弱いフェムトノードの１つまたは複数のＲＳからそのフェムトノードのチャネル推定値を取得するために、キャンセル後の受信信号を使用することができ、干渉キャンセルサンプルを使用してフェムトノードのブロードキャストチャネルの復号を実行することができる。しかしながら、デバイスは、フェムトノードのブロードキャストチャネルおよび／または１つまたは複数のＲＳ上でマクロノードとは異なる干渉レベルを経験し得る。
【００２１】
この点について、デバイスは、干渉キャンセルサンプルの品質を判断することができ、フェムトノードのブロードキャストチャネルのチャネル推定を実行する際に利用すべきサンプル（たとえば、トーン）を選択することができる。たとえば、デバイスは、干渉をキャンセルする前または後に測定された品質メトリック（たとえば、ＳＮＲ）が最も高いサンプルを選択することができる。別の例では、デバイスは、フェムトノードとマクロセル基地局との間のチャネル区分に部分的に基づいてサンプルの品質を判断する（たとえば、サンプルがＰＢＣＨ領域中にあるか、制御領域中にあるか、データ領域中にあるかなどに基づいてＲＳサンプルを選択する）ことができる。さらに別の例では、デバイスは、サンプルの測定電力、周波数オフセット、変化率またはチャネル変動、および／または本明細書でさらに説明する他の考慮事項に部分的に基づいてサンプルの品質を判断することができる。その上、デバイスは、代替的に、上記の考慮事項に従ってチャネル推定を実行する際に使用すべきサンプルを重み付けおよび／または分類することができる。この点について、フェムトノードのブロードキャストチャネルを復号する信頼性は、チャネルを復号するためにチャネル推定を実行する際に望ましいＲＳサンプルを使用することに基づいて改善され得る。
【００２２】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００２３】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星フォン、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムに接続された他の処理デバイスなどであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００２４】
その上、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という句は、以下の場合、すなわち、ＸがＡを使用する場合、ＸがＢを使用する場合、またはＸがＡとＢの両方を使用する場合のいずれかによって満たされる。さらに、本出願と添付の特許請求の範囲とにおいて使用される冠詞「ａ」および「ａｎ」は、別段に規定されていない限り、または単数形を対象とすべきであると文脈から明らかでない限り、概して、「１つまたは複数」を意味すると解釈されるべきである。
【００２５】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ／ＬＴＥ−ＡｄｖａｎｃｅｄおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２６】
様々な態様または特徴が、いくつかのデバイス、構成要素、モジュールなどを含み得るシステムに関して提示される。様々なシステムは、追加のデバイス、構成要素、モジュールなどを含み得、および／または各図に関連して論じるデバイス、構成要素、モジュールなどのすべてを含まないことがあることを理解および諒解されたい。これらの手法の組合せも使用され得る。
【００２７】
図１に、少なくとも別の基地局によって干渉されるときにある基地局と通信するための例示的なシステム１００を示す。システム１００は、基地局１０４と通信するデバイス１０２を含む。たとえば、基地局１０４から受信される信号は、同様の時間期間において同様の周波数スペクトル上で基地局１０６によって送信される信号によって干渉され得る。デバイス１０２は、ＵＥ、モデム（または他のテザーデバイス）、それらの一部分などであり得る。基地局１０４および１０６はそれぞれ、マクロセル基地局、フェムトノード、ピコノード、マイクロノード、または他の低電力基地局、リレー、モバイル基地局、（たとえば、ピアツーピアまたはアドホックモードで通信する）デバイス、それらの一部分などであり得る。
【００２８】
いくつかのネットワーク展開では、たとえば、デバイス１０２は、基地局１０４と通信することができるが、基地局１０４は、デバイス１０２において、基地局１０６よりも低い受信信号電力を示す。たとえば、基地局１０４がフェムトノードである、フェムトノードを備える不均一展開ネットワークでは、デバイス１０２は基地局１０４と通信することができるが、基地局１０６は、基地局１０４に勝る改善された信号品質を提供するマクロセル基地局であり得る。しかしながら、基地局１０４は、レンジ拡大およびリソース区分とともにセル分割利得および／または他の考慮事項により、追加のサービス、改善された帯域幅能力、改善されたネットワークパフォーマンスを提供することができ、したがって、デバイス１０２は、可能な場合は基地局１０６よりも基地局１０４と通信することを選好することがある。したがって、基地局１０４によって送信されたチャネルが基地局１０６によって干渉される場合、デバイス１０２は、基地局１０４からのチャネルを処理するために基地局１０６からの干渉を除去することができる。
【００２９】
たとえば、基地局１０４および基地局１０６が同様のネットワーク技術を使用して動作する場合、基地局１０４および基地局１０６はチャネル送信を重複させることができる。したがって、デバイス１０２は、受信信号において、基地局１０４の同様の所望のチャネルに干渉する基地局１０６のチャネルを推定することができる。デバイス１０２は、次いで、チャネル推定値に基づいて基地局１０６からのチャネルを復号し、信号からそのチャネルをキャンセルすることができる。デバイス１０２は、得られた信号を使用して、基地局１０４によって通信された同様のチャネルを復号するためのチャネル推定値を取得することができる。デバイス１０２は、チャネル推定を実行するために信号中のＲＳトーンを利用することができる。
【００３０】
たとえば、トーンは、時間の一部分におけるシンボルにわたる周波数の一部分を指すことができる。一例では、デバイス１０２ならびに基地局１０４および１０６は、１つまたは複数のサブフレームを含むフレームを有する直交周波数分割多重化（ＯＦＤＭ）を使用して通信することができ、各サブフレームはいくつかのＯＦＤＭシンボルを含むことができる。ＯＦＤＭシンボルはサブフレーム内の時間期間に対応することができる。さらに、各ＯＦＤＭシンボルは、各トーンが信号の少なくとも一部分を送信するために利用され得るように、動作周波数のいくつかのトーン（またはサブキャリア）に分割され得る。さらに、いくつかのシンボルおよび／またはトーンは特定の目的のために予約され得る。一例では、ブロードキャストチャネル領域が１つまたは複数のシンボルとして定義され、基地局１０４および基地局１０６の各々は、ブロードキャストチャネルに対応する信号を送信するためにその領域内のトーンを使用することができる。
【００３１】
基地局１０４は、基地局１０４によって送信される他のチャネルのチャネル推定を実行するために利用され得る様々なＲＳトーンを送信することができる。ＲＳトーンが送信される場所に応じて、デバイス１０２は、基地局１０６からの様々な干渉レベルを経験し得る。たとえば、基地局１０４からのＲＳトーンがブロードキャストチャネル領域において送信された場合、それらのＲＳトーンは、基地局１０６からのブロードキャストチャネル送信によって干渉され得る。デバイス１０２は、基地局１０４のＲＳトーンに基づいて基地局１０６のブロードキャストチャネルを復号することができ、ブロードキャストチャネル領域においてＲＳトーンからブロードキャストチャネルをキャンセルすることができる。しかしながら、基地局１０４が他の領域においてＲＳトーンを送信した場合、それらのＲＳトーンは、基地局１０６からのＲＳ、基地局１０６からのデータなどによって干渉され得る。これらの場合、所与のＲＳトーンに対する干渉レベルは一貫していないことがあり、したがって、干渉キャンセルは、基地局１０６のブロードキャストチャネルをキャンセルするときに正確でないことがある。
【００３２】
したがって、デバイス１０２は、基地局１０６からの干渉をキャンセルした後に基地局１０４から受信された１つまたは複数のＲＳトーンの品質を判断することができる。デバイス１０２は、基地局１０４のブロードキャストチャネルまたは他のチャネルを復号するためのチャネル推定を実行するために、少なくともしきい値品質を有する１つまたは複数のＲＳトーンの一部分を選択することができる。別の例では、デバイス１０２は、品質に対応するＲＳトーンに重みを割り当てることができ、したがって、ブロードキャストチャネルを復号するために、より高い重みをもつより高品質のＲＳトーンを利用すると同時に、より低い重みをもつＲＳトーンに対する考慮を減じることができる。デバイス１０２は、ＲＳトーンの信号測定値（たとえば、信号対干渉雑音比（ＳＩＮＲ））、基地局１０４と基地局１０６との間のチャネル区分を判断すること、基地局１０４および基地局１０６のＲＳ送信がＲＳトーン上で衝突しているか衝突していないかを判断すること、ＲＳトーンを送信するために利用される電力、ＲＳトーン上で受信された電力レベルなどを判断することのうちの少なくとも１つに基づいてＲＳトーンの品質を判断することができる。その上、一例では、デバイス１０２は、データトーンに対する干渉推定値、またはＲＳトーンの少なくともサブセット、またはその両方を判断することができ、また干渉推定値に部分的に基づいて基地局１０４のブロードキャストチャネルを復号することができる。
【００３３】
図２に、１つまたは複数の基地局からのチャネルを復号するための例示的な装置２００を示す。装置２００は、デバイス１０２など、ワイヤレスネットワークへのアクセスを受信するためにワイヤレスネットワーク中の１つまたは複数の基地局と通信するデバイスであり得、図示のモジュール以外の追加のモジュールを含むことができる。装置２００は、１つまたは複数の基地局によって送信された信号を受信するための受信モジュール２０２と、１つまたは複数の基地局によって引き起こされる干渉を信号から除去するための干渉キャンセルモジュール２０４と、チャネル推定をそれから実行すべき信号の１つまたは複数のトーンを選択するための随意のトーン選択モジュール２０６とを含むことができる。装置２００はまた、干渉が除去された信号の部分に対してチャネル推定を実行するためのチャネル推定モジュール２０８と、チャネル推定値に基づいてチャネル情報を取得するためのチャネル復号モジュール２１０とを含む。装置２００は、場合によっては、チャネル推定を実行するために１つまたは複数のトーンに重みを割り当てるためのトーン重み付けモジュール２１２、および／またはチャネル情報を復号する際に使用すべきトーンの少なくともサブセットの干渉推定を実行するための干渉推定モジュール２１４を含むことができる。
【００３４】
一例によれば、受信モジュール２０２は、複数の基地局（たとえば、フェムトノードおよび干渉しているマクロセル基地局）からＲＳトーンおよびチャネル情報とともに信号を取得することができる。干渉キャンセルモジュール２０４は、信号から干渉を判断し、その干渉をキャンセルすることができる。一例では、干渉キャンセルモジュール２０４は、マクロセル基地局から受信された１つまたは複数のＲＳトーンを判断することができ、それらのトーンを利用してマクロセル基地局のブロードキャストチャネル（たとえば、ＬＴＥにおけるプライマリブロードキャストチャネル（ＰＢＣＨ）に対してチャネル推定を実行することができる。干渉キャンセルモジュール２０４は、チャネル推定値に基づいてブロードキャストチャネルを復号することができ、信号からブロードキャストチャネルとＲＳトーンとをキャンセルしてフェムトノードからの信号を生じることができる。
【００３５】
トーン選択モジュール２０６は、得られた信号中で複数のＲＳトーンを判断することができる。説明したように、ＲＳトーンは、フレーム内のＲＳトーンのロケーションとフレーム内のマクロセル基地局の通信特性とに応じて、異なるレベルでマクロセル基地局通信によって干渉されていることがあるので、干渉キャンセルＲＳトーンのうちのいくつかは、他のトーン（たとえば、干渉がキャンセルされ得なかったトーン）よりも高い品質（たとえば、ＳＩＮＲ）を示すことがある。したがって、トーン選択モジュール２０６は、ＲＳトーンの品質を判断することができ、フェムトノードから受信された１つまたは複数の信号に対してチャネル推定を実行するためのＲＳトーンの部分を選択することができる。チャネル推定モジュール２０８は、１つまたは複数のデータトーンを生成するためにチャネル推定においてＲＳトーンの選択された部分を利用することができ、チャネル復号モジュール２１０は、復号されたチャネル情報を生成するために、フェムトノードのブロードキャストチャネル（たとえば、ＰＢＣＨ）、データチャネル（たとえば、ＰＤＳＣＨ）、または注目する他のチャネルなど、１つまたは複数のチャネルを復号することができる。チャネル復号モジュール２１０は、一例では、チャネル情報を利用して、フェムトノードから受信された他のチャネルを処理することができる。
【００３６】
一例では、トーン選択モジュール２０６は、どのトーンを選択すべきかを判断するために１つまたは複数のパラメータを取得することができる。たとえば、トーン選択モジュール２０６は、いくつかのＲＳトーンがいくつかのチャネル領域（たとえば、制御チャネル領域、データチャネル領域、ブロードキャストチャネル領域など）中にあるかどうかを判断するために、チャネル区分に関する情報を取得することができる。説明したように、マクロセル基地局およびフェムトノードは、同様のチャネル構造を利用することができ、したがって、トーン選択モジュール２０６は、関係するＲＳトーンのチャネル領域を判断するために、事前構成されたチャネル構成を利用することができる。別の例では、トーン選択モジュール２０６は、１つまたは複数のネットワーク構成要素、マクロセル基地局および／またはフェムトノードなどからチャネル区分情報を受信することができる。トーン選択モジュール２０６は、フェムトノードからデバイスへのＲＳおよびデータ送信に引き起こされた干渉を判断するためにトーン選択モジュール２０６が使用することができる、マクロセル基地局とフェムトノードとの間のリソース区分に関する情報を取得することができる。たとえば、リソース区分情報は、データおよび／または制御データを送信するためにどのサブフレームがマクロセル基地局によって使用されるか、どのサブフレームがマクロセル基地局によってマルチメディアブロードキャストオーバー単一周波数ネットワーク（ＭＢＳＦＮ：multimedia broadcast over single frequency network）サブフレームまたはオールモストブランクサブフレーム（ＡＢＳ：almost blank subframe）として使用されるかなどを判断することを含むことができる。
【００３７】
いずれの場合も、一例では、トーン選択モジュール２０６は、フェムトノードの少なくともブロードキャストチャネルのチャネル推定を実行するために使用すべきブロードキャストチャネル領域（たとえば、ＰＢＣＨ）中にあるＲＳトーンを選択することを少なくとも判断することができる。たとえば、干渉をキャンセルするために使用されるマクロセル基地局からの復号信号は同じブロードキャストチャネル領域中にあるので、ブロードキャストチャネル領域ではＲＳトーンに対する干渉がより容易にキャンセルされ得る。したがって、この領域では干渉キャンセルが正確であり得、フェムトノードのＲＳトーンは、干渉キャンセル後に他のＲＳトーンよりも高品質であり得る。他の例では、トーン選択モジュール２０６は、いくつかのチャネル領域内のＲＳトーンを選択するために異なるフィルタ処理パラメータ（たとえば、ブロードキャストチャネル領域中でＲＳトーンを選択するためのフィルタ処理パラメータのセット、およびデータチャネル領域中でＲＳトーンを選択するためのフィルタ処理パラメータの異なるセット）を定義することができる。
【００３８】
その上、たとえば、トーン選択モジュール２０６は、１つまたは複数のＲＳトーンの電力をさらに取得することができる。一例では、トーン選択モジュール２０６は、制御チャネル領域（たとえば、物理ダウンリンク制御チャネル（ＰＤＣＣＨ））中で受信された１つまたは複数のＲＳトーンの電力であり得るＰ１と、ブロードキャストチャネル領域（たとえば、ＰＢＣＨ）ではなくデータチャネル領域（たとえば、物理ダウンリンク共有チャネル（ＰＤＳＣＨ））中で受信された１つまたは複数のＲＳトーンの電力であり得るＰ２と、データチャネル領域（たとえば、ＰＤＳＣＨ）およびＰＢＣＨ領域中で受信された１つまたは複数のＲＳトーンの電力であり得るＰとを計算することができる。この例では、トーン選択モジュール２０６は、Ｐ１−Ｐがしきい値レベル（たとえば、３または６デシベル（ｄＢ））よりも小さい場合、制御チャネル領域中のＲＳトーンを選択することができる。また、この例では、トーン選択モジュール２０６は、Ｐ２−Ｐがしきい値レベル（たとえば、３または６ｄＢ）よりも小さい場合、データ領域中のＲＳトーンを選択することができる。
【００３９】
トーン選択モジュール２０６は、基地局信号が復号され、キャンセルされたときにおよび／または干渉キャンセルを実行する前に、Ｐ１、Ｐ２、およびＰを再計算することができる。フェムトノードからの対応するＲＳトーンがしきい値を上回る信号品質を有し得るように、制御チャネル領域は、マクロセル基地局および／または他の基地局によって負荷を軽くかけられ得るので、Ｐ１およびＰ２は、別々に計算されることを諒解されたい。代替的に、制御チャネル領域は負荷をかけられ得るが、マクロセル基地局からの信号が中心周波数レンジ（たとえば、６つのリソースブロック）の外側にあり得、したがって、フェムトノードのＲＳトーンは、同様にしきい値を上回る信号品質を有し得る。
【００４０】
別の例では、トーン選択モジュール２０６は、トーン選択モジュール２０６がフェムトノードとマクロセル基地局とのセル識別子に基づいて判断することができる、フェムトノードのＲＳトーンがマクロセル基地局のＲＳトーンと衝突するかどうかに基づいて、ＲＳトーンを選択することができる。他の例では、トーン選択モジュール２０６は、周波数オフセットなど、他のパラメータを使用することができる。この例では、周波数オフセットは１つまたは複数のネットワーク構成要素から受信され得、周波数オフセットが大きい（たとえば、しきい値を上回る）場合、トーン選択モジュール２０６は、（たとえば、周波数および／または時間において）注目するデータまたは関係するチャネルの近くにあるＲＳトーンを選択し、周波数オフセットが小さい場合、（たとえば、時間領域における距離に部分的に基づいて）遠くに離れているＲＳトーンを含むことができる。
【００４１】
追加の例では、トーン選択モジュール２０６は、装置２００におけるワイヤレスチャネルのチャネル変動の判断されたレートに基づいて、しきい値を上回るか、下回るか、またはしきい値にある場合に、ＲＳトーンを同様に選択することができる。たとえば、これは、変動のレートが低いとき、より多くの経時的平均化を生じる、（たとえば、時間領域またはフィルタ処理において）離れているより多くのＲＳトーンを使用することと、一方で、変動のレートが高いとき、（たとえば、周波数または時間において）注目するデータまたは関係するチャネルにより近いＲＳトーンを使用するか、あるいはより少ない経時的平均化につながるフィルタ処理パラメータを使用することとを含むことができる。その上、たとえば、トーン選択モジュール２０６は、チャネル推定モジュール２０８による複数の異なるチャネル推定値のためにＲＳトーンの異なるセットを選択することができ、チャネル復号モジュール２１０は、フェムトノードのブロードキャストチャネルを復号する際にそれらの複数のチャネル推定値を利用することができる。
【００４２】
さらなる例では、トーン選択モジュール２０６は、干渉キャンセルモジュール２０４によってＲＳトーンから信号がキャンセルされるかどうかに基づいてＲＳトーンの品質を判断することができる。一例では、そのようなことの指示が干渉キャンセルモジュール２０４から受信され得る。トーン選択モジュール２０６は、信号がキャンセルされたそれらのＲＳトーンにより良い品質を割り当てることができる。別の例では、トーン選択モジュール２０６は、他の基地局によってＲＳトーン上で信号が送信されるかどうかに基づいてＲＳトーンの品質を判断することができる。そのようなＲＳトーンは、他の基地局によってその上で信号が送信されないＲＳトーンよりも低品質であり得る。一例では、トーン選択モジュール２０６は、他の基地局のリソース区分、他の基地局のＭＢＳＦＮ／ＡＢＳ構成、干渉キャンセルＲＳトーン、干渉キャンセルデータトーン、またはマクロセル基地局からの干渉を有しないことが知られている他のトーン（たとえば、マクロセル基地局のＰＢＣＨ領域中のヌルトーン、マクロセル基地局がＡＢＳ／ＭＢＳＦＮ構成において送信していない場合のトーン、マクロセル基地局が単一の共通基準信号（ＣＲＳ：common reference signal）ポートを使用する場合の、各サブフレームの第１のＯＦＤＭシンボル上の第２のアンテナポートの基準信号に対応するヌルトーンなど）との複数のＲＳトーンに関する受信電力比較などに基づいて、他の基地局がＲＳトーン上で送信するかどうかを判断することができる。
【００４３】
別の例では、トーン重み付けモジュール２１２は、ＲＳトーンに重みを割り当てるかまたは場合によってはＲＳトーンを分類するために、上記で説明した同様のパラメータを利用することができる。この例では、トーン重み付けモジュール２１２は、様々なしきい値などに従って、パラメータに応じて重みを割り当てることができる。具体的な例では、トーン重み付けモジュール２１２は、Ｐ１、Ｐ２、および／またはＰパラメータ値、周波数オフセット、チャネル変動のレートなどに従って、ブロードキャストチャネル領域中のフェムトノードからのＲＳトーンに最も高い利用可能な重みを割り当て、データまたは制御チャネル領域中のＲＳトーンにより低い重みを割り当てることができる。チャネル推定モジュール２０８は、チャネル推定値を判断するために、割り当てられた重みに従ってＲＳトーンを利用することができる。たとえば、チャネル推定モジュール２０８は、ＲＳトーンからのチャネル推定値を取得するために平均化しながら、ＲＳトーンに重みを適用することができる。一例では、チャネル推定モジュール２０８は、重みに従ってＲＳトーンを分類することができ（たとえば、高品質、低品質、中品質など）、同様の分類を有するＲＳトーンのために少なくとも１つのチャネル推定を実行することができる。チャネル推定モジュール２０８は、異なる分類を有するＲＳトーンのために追加のチャネル推定を実行することができ、チャネル復号モジュール２１０は、複数のチャネル推定値を使用してフェムトノードからのチャネルを復号することができる。
【００４４】
別の例では、トーン重み付けモジュール２１２がＲＳトーンを分類する場合、チャネル推定モジュール２０８は、実質的に正確なチャネル推定値を導出するために、分類の異なる組合せを使用して複数のチャネル推定を実行することができる。一例では、トーン重み付けモジュール２１２は、フェムトノードからのＲＳトーンを、（たとえば、それらのＲＳトーンの品質に基づいて）より望ましいグループおよびあまり望ましくないグループという少なくとも２つのグループに分類することができる。この例では、チャネル推定モジュール２０８は、チャネルを推定することを試みることができ、チャネル復号モジュール２１０は、その推定を使用してチャネルを復号することができる。データ復号が成功した（たとえば、巡回冗長検査（ＣＲＣ）に合格した）場合、チャネル推定が適度に正確であった可能性がある。検証に基づいてチャネル推定が実質的に正確であると判断されない場合、チャネル推定モジュール２０８は、あまり望ましくないグループからの１つまたは複数のトーンとともにより望ましいグループからのトーンを使用して追加のチャネル推定を実行することができ、復号の成功をもたらす、チャネル推定の少なくとも１つが達成されるか、またはチャネル推定の一定数の組合せを試みることなど、他の停止基準が満たされるまで、データ復号などに進むことができる。
【００４５】
たとえば、２つのＲＳトーンがより望ましいグループ中にあり、２つのＲＳトーンがあまり望ましくないグループ中にある、４つのＲＳトーンの場合、チャネル推定モジュール２０８は、より望ましいグループのみからの２つのトーンを用いてチャネル推定を試みることができる。チャネル推定が実質的に正確でない場合、チャネル推定モジュール２０８は、より望ましいグループからの２つのトーンと、あまり望ましくないグループからの１つのトーンとを用いてチャネル推定を試みることができる。チャネル推定が依然として実質的に正確でない場合、チャネル推定モジュール２０８は、より望ましいグループからの２つのトーンと、あまり望ましくないグループからの他方のトーンとを用いてチャネル推定を試みることができる。チャネル推定が依然として実質的に正確でない場合、チャネル推定モジュール２０８は、より望ましいグループからの２つのトーンと、あまり望ましくないグループからの２つのトーンとを用いてチャネル推定を試みることができる。
【００４６】
別の例では、チャネル復号モジュール２１０は、チャネルを復号するためにチャネル推定に加えて干渉推定をも使用することができる。一例では、干渉推定モジュール２１４は、データが中に配置されたリソースブロック中のＲＳトーンはデータと同じ干渉を受けると仮定され得るので、そのリソースブロック上のＲＳトーンを使用して干渉推定を実行することができる。しかしながら、干渉をキャンセルするとき（たとえば、ＰＢＣＨキャンセルおよび／またはＣＲＳキャンセル）、データチャネル領域はマクロセル基地局からの干渉を有しないことがある。したがって、いくつかのＲＳトーンは、キャンセルされないマクロセル基地局のデータから干渉され続け得るが、他のＲＳトーンはマクロセル基地局によって干渉されないことがある。この点について、干渉推定モジュール２１４は、マクロセル基地局によって干渉されないＲＳトーンの少なくともサブセットに対する干渉を推定することを判断することができる。たとえば、干渉推定モジュール２１４は、トーン選択モジュール２０６に関して説明したようにそのようなＲＳトーンを識別することができる（たとえば、リソース区分情報、ＭＢＳＦＮ／ＡＢＳ構成、電力測定値など）。さらに、干渉推定モジュール２１４は、データトーンの共分散を直接使用することに部分的によって干渉推定を実行することができる。データトーンの共分散は、信号プラス雑音電力を与えることができる。しかしながら、ＰＢＣＨは、低ＳＮＲで復号されるように設計されているので、ＳＮＲが低いとき、信号電力は、無視でき、したがって、干渉推定値は、所望の雑音電力に実質的に等しくなることができる。ＳＮＲが高いとき、干渉の推定値が不正確な場合でもＰＢＣＨはおそらく復号され得る。
【００４７】
その上、たとえば、干渉推定モジュール２１４は、フェムトノードまたはマクロセル基地局から受信されたプライマリ同期信号（ＰＳＳ）、マクロセル基地局とフェムトノードとの間のリソース区分、複数のＲＳトーンがその上で受信されるサブフレームがＭＢＳＦＮ／ＡＢＳサブフレームであるかどうかなどのうちの少なくとも１つに基づいて、干渉推定を実行するための複数のＲＳトーンのうちの少なくともサブセットを判断することができる。その上、たとえば、干渉推定モジュール２１４は、複数のＲＳトーンのうちの少なくとも１つおよび干渉キャンセルトーンまたはデータトーン、あるいはマクロセル基地局からの干渉を有しないことが知られている他のトーン（たとえば、マクロセル基地局のＰＢＣＨ領域中のヌルトーン、マクロセル基地局がＡＢＳ／ＭＢＳＦＮ構成で送信していない場合のトーンなど）の間の受信電力比較に部分的に基づいてＲＳトーンを判断することができる。一例では、そのようなトーンのロケーションが、マクロセル基地局、１つまたは複数のネットワーク構成要素、ハードコーディングまたは構成などから受信され得る。別の例では、チャネル推定の追加または代替として、ブロードキャストチャネルを復号するためにＲＳトーンとデータトーンの両方を介した干渉推定がチャネル復号モジュール２１０によって使用され得る。
【００４８】
図３に、ブロードキャスト信号を送信するための例示的な装置３００を示す。装置３００は、それへのアクセスを与えるためにワイヤレスネットワーク中のデバイスと通信することができるフェムトノード、マクロセル基地局、または他の基地局（たとえば、基地局１０４および１０６）であり得る。装置３００は、より弱いセルによって使用されるＲＳロケーションを取得するための随意のＲＳロケーション受信モジュール３０２と、１つまたは複数の信号を使用して１つまたは複数のチャネルを送信するためのリソースをスケジュールするためのスケジューリングモジュール３０４と、スケジューリングに従ってデータを送信するための送信モジュール３０６とを含むことができる。
【００４９】
一例によれば、スケジューリングモジュール３０４は、デバイスにおける干渉なしにそのようなチャネルを復号することを可能にするために、フェムトノードまたは他の基地局によってブロードキャストチャネル信号を送信するために利用されるトーンをミュートすべきか（たとえば、それらのトーン上での送信をスケジュールしないべきか）どうかを判断することができる。これは、ブロードキャストチャネル領域内の送信機会の実質的にすべてまたは少なくともサブセットにわたって行われ得る。別の例では、ＲＳロケーション受信モジュール３０２は、１つまたは複数の隣接フェムトノードがその上でブロードキャストチャネル領域中でＲＳを送信するＲＳトーンロケーションに関する情報を取得することができ、スケジューリングモジュール３０４は、次いで、ＲＳトーンロケーションのいくつかの部分をミュートすることができる。
【００５０】
たとえば、ＲＳロケーション受信モジュール３０２は、サブフレームのサブセット中でフェムトノードまたは他のネットワーク構成要素からのＲＳトーンを識別することができ、周波数および／または時間におけるトーンのロケーションを判断することができる。いずれの場合も、スケジューリングモジュール３０４は、少なくとも後続のサブフレームのロケーションにおけるトーンをミュートすることができる。たとえば、直交周波数分割多重化（ＯＦＤＭ）構成では、ＲＳロケーション受信モジュール３０２は、（たとえば、フェムトノードから受信された信号、指示された構成などに基づいて）所与のサブフレーム中の１つまたは複数のＯＦＤＭシンボル内でトーンロケーションを識別することができ、スケジューリングモジュール３０４は、後続のサブフレームのＯＦＤＭシンボル中のトーンロケーションをミュートすることができる。別の例では、ＲＳロケーション受信モジュール３０２は、判断されたロケーションと、（たとえば、装置３００に指示されるかまたは場合によっては装置３００によって知られていることがある）フェムトノードによって使用される１つまたは複数のホッピングパターンとに基づいて、後続のサブフレーム中でトーンのロケーションを判断することができる。いずれの場合も、送信モジュール３０６は、スケジューリングモジュール３０４によってミュートされたトーンロケーション上で送信することを控えながら、スケジューリングモジュール３０４によってスケジュールされたトーン上で送信することができる。一例では、ミュートすることは、サブフレーム中のリソースブロックの一部分（たとえば、ＲＳトーンに対応するＯＦＤＭシンボルのサブセット上の中心６つまたは他の数のリソースブロック）上のＲＳトーンをミュートすることをさらに含むことができる。
【００５１】
図４は、ＣＲＳとＰＢＣＨとのためのリソース要素（たとえば、トーン）割振りを含む例示的なフレーム構造４００および４０２を示す図である。ただし、本明細書で説明する態様では他のフレーム構造が使用され得ることを諒解されたい。ＰＢＣＨペイロードは、１／３レートのテイルバイティング畳み込みコードをもつ、２４ビットを含むことができる。ペイロードは４０ミリ秒（ｍｓ）ごとに変化する（たとえば、単一周波数ネットワーク（ＳＦＮ：single frequency network）増分で変化する）ことができ、４つの冗長バージョン（ＲＶ：redundancy version）が４０ｍｓで送信され得る。ＲＶ検出はＳＦＮの２つの最下位ビット（ＬＳＢ）を与える。
【００５２】
サブフレーム４０４内では、中央リソースブロック（たとえば、中心の６つのリソースブロック（ＲＢ：resource block））がＰＢＣＨ４０６送信のために使用され得る。例示的なフレーム構造４００は、通信において使用されるＣＲＳポートの数に部分的に基づいて異なる様々なフレーム構造を示している。たとえば、単一ポート送信４０８は１つのＣＲＳ４１４ポートを含み得、空間周波数ブロックコーディング（ＳＦＢＣ：space frequency block coding）４１０は、２つのＣＲＳ４１４ポートを含み得、ＳＦＢＣ周波数シフト時間ダイバーシティ（ＦＳＴＤ：frequency shift time diversity）４１２は、４つのＣＲＳ４１４ポートを使用し得る。さらに、リソース要素（ＲＥ：resource element）は、ＰＢＣＨ４０６の通信のためにヌルトーン４１６として使用され得る。
【００５３】
上述のように、干渉キャンセル中に、異なるＲＳは、いくつかのファクタに応じて異なる干渉レベルを経験し得る。一態様では、マクロセル基地局とフェムトノードが完全に衝突する場合、実質的にすべてのＲＳが同様の干渉レベルを経験し得る。たとえば、完全に衝突するＲＳ４１４を有する２つのセルがある場合、干渉キャンセルが実行されるとき、より強いセルのＰＢＣＨおよびＲＳは、より弱いセルの実質的にすべてのＲＳ４１４トーンに対して等しくキャンセルされ、したがって、実質的にすべてのＲＳ４１４が同様の低減された干渉を経験し得る。
【００５４】
別の態様では、強いセルが、リソース区分中になど、ブランクまたはオールモストブランクサブフレームを提供し得、２つのセルのＲＳが衝突しないように構成され得る。したがって、強いセルのＰＢＣＨおよびＲＳ干渉キャンセルの前に、より弱いセルのＲＳ４１４は、制御領域および非ＰＢＣＨ領域（たとえば、ＰＢＣＨ領域４０６の外部）ではクリーンであり得るが、（たとえば、より弱いセルのＣＲＳがより強いセルのヌルトーン４１６中に偶然あるのでない限り）ＰＢＣＨ領域ではより強いセルのＰＢＣＨからの干渉を受け得る。強いセルのＰＢＣＨの干渉キャンセルの後に、実質的にすべての弱いセルＲＳ４１４が同様の低減された干渉を経験し得る。
【００５５】
別の態様では、強いセルは、データを含む標準サブフレームを使用して送信し得、２つのセルのＲＳが衝突しないように構成され得る。したがって、強いセルのＰＢＣＨおよびＲＳ干渉キャンセルの前に、より弱いセルのＲＳ４１４は、制御領域と、データ領域と、ＰＢＣＨ領域４０６とにおいて強い干渉を経験し得る。とはいえ、ＰＢＣＨ領域４０６において、ＲＳ４１４ｂは、より弱いセルのＲＳ４１４ｂがより強いセルのヌルトーン４１６中に偶然ある場合、大きい干渉を経験しないことがある。ＰＢＣＨ  ＩＣおよびＲＳ  ＩＣの後に、ＰＢＣＨ領域中のＲＳ４１４ｂは、データおよび制御領域中のＲＳ４１４ａよりも、強いセルから比較的より少ない干渉を経験する。
【００５６】
一態様では、強いセルと弱いセルとの周波数オフセット情報が利用可能でない場合、異なるＯＦＤＭシンボル上のＲＳトーンからのチャネル情報がＰＢＣＨ領域中のチャネルに一致しないことがある。そのような一態様では、ＰＢＣＨ領域に近接するおよび／またはＰＢＣＨ領域中のＲＳトーン４１４ｂの使用により、すべてのＲＳ４１４トーンを使用するよりもチャネル推定が効果的になり得る。したがって、本明細書で説明するように、デバイスは、ＲＳトーン４１４ｂをより高い品質に関連付けることができ、チャネル推定を実行するためにこれらのトーンを選択することができる。他の例では、デバイスは、ＲＳトーン４１４ｂの品質を判断することに基づいて（たとえば、リソース区分、トーンの受信電力などに基づいて）ＲＳトーン４１４ｂにより高い重み、より望ましい分類などを割り当てることができる。
【００５７】
例示的なフレーム構造４０２では、異なるＲＢ設計４１８、４２０、および４２２は、ＰＢＣＨ４２８に関して、ＣＲＳ４２４およびヌルトーン４２６の配置が異なり得る。動作中、異なるＣＲＳ４２４配置は、ＰＢＣＨ干渉キャンセルとＲＳ干渉キャンセルとの後に観測される干渉レベルが異なることになり得る。たとえば、強いセルと弱いセルの両方がＲＢ４１８設計を使用している場合、ＲＳは衝突し、干渉キャンセルにより、弱いセルのＲＳが最小干渉で復元されることが可能になる。対照的に、強いセルと弱いセルとが異なるＲＢ設計（たとえば、４１８および４２０）を使用している場合、上記で説明したように、弱いセルのＲＳトーンは異なる干渉レベルを経験し得る。このようにして、デバイスは、チャネル推定において使用するためのトーンを選択、重み付け、分類などすることができる。
【００５８】
図５〜図８に、１つまたは複数の基地局からの通信を復号することに関係する例示的な方法を示す。説明を簡単にするために、方法を一連の行為として図示し説明するが、いくつかの行為は、１つまたは複数の実施形態によれば、本明細書で図示し説明する他の行為と同時に、および／または異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００５９】
図５は、ブロードキャストチャネルを復号するための例示的な方法５００を示している。５０２において、第１の基地局から、複数のＲＳからの複数のＲＳトーンを受信する。たとえば、第１の基地局は、チャネル推定および復号を可能にするために１つまたは複数のＲＳを送信することができ、ＲＳは、関係する周波数スペクトル上で受信され得る。さらに、説明したように、第１の基地局は、ＲＳがその上で所与のサブフレーム中で送信され得る複数のトーンを生じるために、ＯＦＤＭ、または周波数および時間に対する同様の多重化を利用することができる。
【００６０】
５０４において、少なくとも別の基地局からの干渉を除去するために複数のＲＳトーンを修正する。干渉キャンセルは、少なくとも別の基地局に関係するＲＳトーンを取得し、それらのＲＳトーンに基づいてその基地局のブロードキャストチャネルを復号することに部分的によって、トーンに適用され得る。少なくとも別の基地局からの信号は、次いで、受信信号から、（たとえば、少なくとも別の基地局の受信されたＲＳトーンを含めて）その基地局の復号されたブロードキャストチャネルを除去することによってキャンセルされ得る。
【００６１】
５０６において、修正されたＲＳトーンの品質を判断する。これは、たとえば、上記で説明したように、ＲＳトーンのＳＩＮＲを取得すること、チャネル区分、ＲＳ電力、周波数オフセットなどに基づいて品質を推測することを含むことができる。１つの具体的な例では、ＲＳトーンの品質は、それの電力を計算するかまたは場合によっては判断し、１つまたは複数のチャネル領域内のＲＳトーンのロケーションに基づいて電力を比較して、ＲＳトーンがチャネル推定のために十分な品質であるかどうかを判断することによって判断され得る。
【００６２】
５０８において、複数のＲＳトーンの品質に基づいて少なくとも１つのチャネル推定値を取得する。チャネルを推定するために、少なくともしきい値レベルにおける品質のＲＳトーンが利用され得る。説明したように、ブロードキャストチャネル領域中のＲＳトーンは、実質的に正確な干渉キャンセルを可能にすることなどのために、干渉レベルが容易に達成可能であるので、チャネルを推定する際にＲＳトーンを利用するのに十分高い品質に関連付けられ得る。追加のＲＳトーンが、十分高い品質に、ならびに上記で説明した考慮事項に基づいて、関連付けられ得る。
【００６３】
５１０において、少なくとも１つのチャネル推定値に基づいて第１の基地局のデータチャネルを復号する。干渉はＲＳトーンにわたって変動し得るので、十分な品質のＲＳトーンを使用することにより、チャネル推定の改善が可能になる。さらに、ブロードキャストチャネルを復号するのを支援するために、干渉推定がＲＳトーン上で実行され得る。一例では、データチャネルはブロードキャストチャネルに対応することができる。
【００６４】
図６は、ブロードキャストチャネルを復号するための例示的な方法６００を示している。６０２において、第１の基地局から、複数のＲＳからの複数のＲＳトーンを受信する。たとえば、第１の基地局は、チャネル推定および復号を可能にするために１つまたは複数のＲＳを送信することができ、ＲＳは、関係する周波数スペクトル上で受信され得る。さらに、説明したように、第１の基地局は、ＲＳがその上で所与のサブフレーム中で送信され得る複数のトーンを生じるために、ＯＦＤＭ、または周波数および時間に対する同様の多重化を利用することができる。
【００６５】
６０４において、少なくとも別の基地局からの干渉を除去するために複数のＲＳトーンを修正する。干渉キャンセルは、少なくとも別の基地局に関係するＲＳトーンを取得し、それらのＲＳトーンに基づいてその基地局のブロードキャストチャネルを復号することに部分的によって、トーンに適用され得る。少なくとも別の基地局からの信号は、次いで、受信信号から、（たとえば、少なくとも別の基地局の受信されたＲＳトーンを含めて）その基地局の復号されたブロードキャストチャネルを除去することによってキャンセルされ得る。
【００６６】
６０６において、修正されたＲＳトーンの品質を判断する。これは、たとえば、上記で説明したように、ＲＳトーンのＳＩＮＲを取得すること、チャネル区分、ＲＳ電力、周波数オフセットなどに基づいて品質を推測することを含むことができる。１つの具体的な例では、ＲＳトーンの品質は、それの電力を計算するかまたは場合によっては判断し、１つまたは複数のチャネル領域内のＲＳトーンのロケーションに基づいて電力を比較して、ＲＳトーンがチャネル推定のために十分な品質であるかどうかを判断することによって判断され得る。
【００６７】
６０８において、品質に部分的に基づいて複数のＲＳトーンに重みを割り当てる。一例では、割り当てられる重みは、ＲＳトーンの品質に応じて変わることができる。説明したように、ブロードキャストチャネル領域中のＲＳトーンは、実質的に正確な干渉キャンセルを可能にすることなどのために、少なくともこの領域では干渉レベルが容易に達成可能であるので、より高い重みを割り当てられ得る。上記で説明した考慮事項に基づいて、追加のＲＳトーンが重みを割り当てられ得る。
【００６８】
６１０において、重みに基づいてＲＳトーンの少なくとも一部分を使用して第１の基地局のチャネルを推定する。説明したように、干渉はＲＳトーンにわたって変動し得るので、チャネルを推定するために同様の重みをもつＲＳトーンを使用すること、および／または使用されるＲＳトーンの重みに基づいて推定値を重み付けすることにより、より正確な推定が行われ得る。
【００６９】
図７は、受信されたＲＳトーンの組合せを使用してチャネルを推定するための例示的な方法７００を示している。７０２において、第１の基地局から、複数の基準信号からの複数のＲＳトーンを受信する。たとえば、第１の基地局は、チャネル推定および復号を可能にするために１つまたは複数のＲＳを送信することができ、ＲＳは、関係する周波数スペクトル上で受信され得る。さらに、説明したように、第１の基地局は、ＲＳがその上で所与のサブフレーム中で送信され得る複数のトーンを生じるために、ＯＦＤＭ、または周波数および時間に対する同様の多重化を利用することができる。
【００７０】
７０４において、少なくとも別の基地局からの干渉を除去するために複数のＲＳトーンを修正する。干渉キャンセルは、少なくとも別の基地局に関係するＲＳトーンを取得し、それらのＲＳトーンに基づいてその基地局のブロードキャストチャネルを復号することに部分的によって、トーンに適用され得る。少なくとも別の基地局からの信号は、次いで、受信信号から、（たとえば、少なくとも別の基地局の受信されたＲＳトーンを含めて）その基地局の復号されたブロードキャストチャネルを除去することによってキャンセルされ得る。
【００７１】
７０６において、ＲＳトーンの品質に基づいてＲＳトーンを分類する。品質は、説明したように（たとえば、ＲＳトーンのＳＩＮＲを取得すること、チャネル区分、ＲＳ電力、周波数オフセットなどに基づいて品質を推測することに基づいて）判断され得る。ＲＳトーンには、判断された品質をいくつかのしきい値と比較することに基づいて分類が割り当てられ得る。１つの分類では、ＲＳトーンは、説明したように、より望ましいトーンのグループと、あまり望ましくないトーンのグループとに分類され得る。
【００７２】
７０８において、分類されたＲＳトーンの組合せに基づいてチャネルを推定する。たとえば、組合せは、品質（たとえば、より望ましいトーンの組合せ）に基づいて判断され得る。推定値が良好であるかどうかを判断するために、７１０において推定値を検証する。たとえば、これは、推定値が少なくともしきい値精度にあるかどうかを判断するために推定値をＣＲＣと比較することに基づくことができる。推定値が少なくともしきい値精度にある場合、７１２において、チャネル推定値に基づいて第１の基地局のデータチャネルを復号する。
【００７３】
７１０において推定値が良好でない（たとえば、しきい値精度にない）場合、７１４において、組合せが残っているかどうかを判断する。たとえば、４つの可能なＲＳトーンを仮定し、２つがより望ましい分類を有するとすると、分析すべき以下の４つの可能な組合せ、すなわち、（ｉ）２つの望ましいトーンを使用すること、（ｉｉ）１つのあまり望ましくないトーンとともに２つのトーンを使用すること、（ｉｉｉ）他方のあまり望ましくないトーンとともに２つのトーンを使用すること、または（ｉｖ）すべての４つのトーンを使用すること、などがある。組合せが残っている場合、７０８において、分類されたＲＳトーンの別の組合せに基づいてチャネルを推定する。組合せが残っていない場合、７１２において、チャネル推定値のうちの少なくとも１つに基づいて第１の基地局のブロードキャストチャネルを復号する。
【００７４】
図８は、フェムトノードによって使用されるＲＳトーンをミュートするための例示的な方法８００を示している。８０２において、基地局がその上でＲＳを送信する１つまたは複数のトーンのロケーションを判断する。これは、（たとえば、バックホールリンク上の）基地局、モバイルデバイス、または別のネットワーク構成要素からそのような情報を受信すること、１つまたは複数の他のサブフレームの少なくともサブセット中のＲＳを基地局から受信することに部分的に基づいてトーンを推測することなどを含むことができる。
【００７５】
８０４において、１つまたは複数のトーンのロケーションに対応するトーンのサブセットをミュートする。たとえば、ミュートされたトーン上で信号が送信のためにスケジュールされないことをスケジューラが保証することができる。これは、デバイスが基地局からの信号を適切に復号することを可能にするために、後続のサブフレームにおいて、実質的にすべてのサブフレームにおいてなどであり得る。
【００７６】
本明細書で説明する１つまたは複数の態様によれば、説明したように、チャネルを推定するためにＲＳトーンのセットを判断することなどに関する推測が行われ得ることを諒解されよう。本明細書で使用する「推測する」または「推測」という用語は、概して、イベントおよび／またはデータを介して捕捉された観察のセットから、システム、環境、および／またはユーザの状態について推理するか、またはそれらの状態を推測するプロセスを指す。推測は、特定のコンテキストまたはアクションを識別するために採用され得、あるいは、たとえば、状態の確率分布を生成することができる。推測は、確率的、すなわち、データおよびイベントの考察に基づく当該の状態の確率分布の計算であり得る。推測は、イベントおよび／またはデータのセットからより高いレベルのイベントを構成するために採用される技法を指すこともある。そのような推測から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７７】
図９は、１つまたは複数のＲＳトーンを使用してチャネルを復号することを可能にするモバイルデバイス９００の図である。モバイルデバイス９００は、たとえば受信アンテナ（図示せず）から信号を受信し、受信信号に対して典型的なアクション（たとえば、フィルタ処理、増幅、ダウンコンバートなど）を実行し、サンプルを得るために調整された信号をデジタル化する受信機９０２を備える。受信機９０２は、受信したシンボルを復調し、それらをチャネル推定のためにプロセッサ９０６に与えることができる復調器９０４を備えることができる。プロセッサ９０６は、受信機９０２によって受信された情報の分析および／または送信機９０８による送信のための情報の生成に専用のプロセッサ、モバイルデバイス９００の１つまたは複数の構成要素を制御するプロセッサ、および／または受信機９０２によって受信された情報の分析、送信機９０８による送信のための情報の生成、ならびにモバイルデバイス９００の１つまたは複数の構成要素の制御の両方を行うプロセッサであり得る。
【００７８】
モバイルデバイス９００は、さらに、メモリ９１０を備えることができ、メモリ９１０は、プロセッサ９０６に動作可能に結合され、送信されるべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための他の好適な情報を記憶することができる。メモリ９１０は、さらに（たとえばパフォーマンスベース、容量ベースなどの）チャネルの推定および／または利用に関連するプロトコルおよび／またはアルゴリズムを記憶することができる。
【００７９】
本明細書で説明するデータストア（たとえば、メモリ９１０）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態において利用可能である。主題のシステムおよび方法のメモリ９１０は、これらおよび任意の他の好適なタイプのメモリを、それらに限定されることなく、備えるものとする。
【００８０】
一例では、受信機９０２は、受信モジュール２０２と同様であり得る。プロセッサ９０６は、さらに、場合によっては、干渉キャンセルモジュール２０４と同様であり得る干渉キャンセルモジュール９１２、トーン選択モジュール２０６と同様であり得るトーン選択モジュール９１４、および／またはチャネル推定モジュール２０８と同様であり得るチャネル推定モジュール９１６に動作可能に結合され得る。プロセッサ９０６はまた、場合によっては、チャネル復号モジュール２１０と同様であり得るチャネル復号モジュール９１８、トーン重み付けモジュール２１２と同様であり得るトーン重み付けモジュール９２０、および／または干渉推定モジュール２１４と同様であり得る干渉推定モジュール９２２に結合され得る。
【００８１】
モバイルデバイス９００は、またさらに、たとえば、基地局、別のモバイルデバイスなどへの送信機９０８による送信のために信号を変調する変調器９２４を備える。その上、たとえば、モバイルデバイス９００は、説明したように、複数のネットワークインターフェースのために複数の送信機９０８を備えることができる。プロセッサ９０６とは別個のものとして図示されているが、干渉キャンセルモジュール９１２、トーン選択モジュール９１４、チャネル推定モジュール９１６、チャネル復号モジュール９１８、トーン重み付けモジュール９２０、干渉推定モジュール９２２、復調器９０４、および／または変調器９２４は、プロセッサ９０６または複数のプロセッサの一部（図示せず）であり、および／またはプロセッサ９０６が実行するためのメモリ９１０に命令として記憶され得ることを諒解されたい。
【００８２】
図１０は、ワイヤレス通信を使用して１つまたは複数のデバイスと通信することを可能にするシステム１０００の図である。システム１０００は、実質的に任意の基地局（たとえば、フェムトノード、ピコノードなどの低電力基地局、モバイル基地局．．．）、リレーなどであり得る基地局１００２を備え、基地局１００２は、（たとえば、説明したように、複数のネットワーク技術であり得る）複数の受信アンテナ１００６を介して１つまたは複数のモバイルデバイス１００４から（１つまたは複数の）信号を受信する受信機１０１０と、（たとえば、説明したように、複数のネットワーク技術であり得る）複数の送信アンテナ１００８を介して１つまたは複数のモバイルデバイス１００４に送信する送信機１０２４とを有する。さらに、一例では、送信機１０２４は、ワイヤードフロントリンク上でモバイルデバイス１００４に送信することができる。受信機１０１０は、１つまたは複数の受信アンテナ１００６から情報を受信することができ、受信された情報を復調する復調器１０１２と動作可能に結合される。さらに、一例では、受信機１０１０は、ワイヤードバックホールリンクから受信することができる。その上、別個のアンテナとして示されているが、少なくとも１つの送信アンテナ１００８は、単一のアンテナとして少なくとも１つの受信アンテナ１００６と結合され得ることを諒解されたい。
【００８３】
復調されたシンボルは、図９に関して上記で説明したプロセッサと同様であり得るプロセッサ１０１４によって分析され、プロセッサ１０１４は、信号（たとえば、パイロット）強度および／または干渉強度、（１つまたは複数の）モバイルデバイス１００４（または異種基地局（図示せず））に送信されるべきデータまたはそこから受信されるべきデータを推定することに関係する情報、および／または本明細書に記載する様々なアクションおよび機能を実行することに関係する他の好適な情報を記憶するメモリ１０１６に結合される。
【００８４】
プロセッサ１０１４は、さらに場合によっては、ＲＳロケーション受信モジュール３０２と同様であり得るＲＳロケーション受信モジュール１０１８、および／またはスケジューリングモジュール３０４と同様であり得るスケジューリングモジュール１０２０に結合される。さらに、送信機１０２４は、送信モジュール３０６と同様であり得る。その上、たとえば、プロセッサ１０１４は、変調器１０２２を使用して送信されるべき信号を変調し、送信機１０２４を使用して被変調信号を送信することができる。送信機１０２４は、Ｔｘアンテナ１００８上で信号をモバイルデバイス１００４に送信することができる。
【００８５】
さらに、基地局１００２は、バックホールインターフェースを介して１つまたは複数のｅＮＢ１０２８と通信するためのバックホール通信モジュール１０２６を含むことができる。たとえば、バックホール通信モジュール１０２６は、１つまたは複数のバックホールインターフェース（たとえば、ＬＴＥにおけるＸ２インターフェース）を使用して、ワイヤードまたはワイヤレスバックホールリンクを介してｅＮＢ１０２８と通信することができる。たとえばバックホールリンクがワイヤレスである場合、基地局１００２は、Ｒｘアンテナ１００６および受信機１０１０を利用してｅＮＢ１０２８から通信を受信し、および／またはＴｘアンテナ１００８および送信機１０２４を利用してｅＮＢ１０２８に信号を通信することができることを諒解されたい。
【００８６】
さらに、プロセッサ１０１４とは別個のものとして図示されているが、ＲＳロケーション受信モジュール１０１８、スケジューリングモジュール１０２０、バックホール通信モジュール１０２６、復調器１０１２、および／または変調器１０２２は、プロセッサ１０１４または複数のプロセッサ（図示せず）の一部であり、および／またはプロセッサ１０１４が実行するためのメモリ１０１６に命令として記憶され得ることを諒解されたい。
【００８７】
図１１に、本明細書で提示する様々な実施形態によるワイヤレス通信システム１１００を示す。システム１１００は、複数のアンテナグループを含むことができる基地局１１０２を備える。たとえば、１つのアンテナグループはアンテナ１１０４および１１０６を含み、別のグループはアンテナ１１０８および１１１０を備え、さらなるグループはアンテナ１１１２および１１１４を含むことができる。アンテナグループごとに２つのアンテナが示されているが、グループごとにより多いまたはより少ないアンテナが利用され得る。基地局１１０２は、さらに、送信機チェーンおよび受信機チェーンを含むことができ、送信機チェーンおよび受信機チェーンの各々は、諒解されるように、信号送信および信号受信に関連する複数の構成要素またはモジュール（たとえば、プロセッサ、変調器、マルチプレクサ、復調器、デマルチプレクサ、アンテナなど）を備えることができる。
【００８８】
基地局１１０２は、モバイルデバイス１１１６およびモバイルデバイス１１２２など、１つまたは複数のモバイルデバイスと通信することができるが、基地局１１０２は、モバイルデバイス１１１６および１１２２と同様の実質的にいかなる数のモバイルデバイスとも通信することができることを諒解されたい。モバイルデバイス１１１６および１１２２は、たとえば、セルラーフォン、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１１００を介して通信するための他の好適なデバイスであり得る。図示のように、モバイルデバイス１１１６は、アンテナ１１１２および１１１４と通信しており、アンテナ１１１２および１１１４は、順方向リンク１１１８を介して情報をモバイルデバイス１１１６に送信し、逆方向リンク１１２０を介してモバイルデバイス１１１６から情報を受信する。その上、モバイルデバイス１１２２は、アンテナ１１０４および１１０６と通信しており、アンテナ１１０４および１１０６は、順方向リンク１１２４を介して情報をモバイルデバイス１１２２に送信し、逆方向リンク１１２６を介してモバイルデバイス１１２２から情報を受信する。周波数分割複信（ＦＤＤ）システムでは、たとえば、順方向リンク１１１８は、逆方向リンク１１２０によって使用される周波数帯とは異なる周波数帯を利用し、順方向リンク１１２４は、逆方向リンク１１２６によって使用される周波数帯とは異なる周波数帯を使用することができる。さらに、時分割複信（ＴＤＤ）システムでは、順方向リンク１１１８および逆方向リンク１１２０は共通の周波数帯を利用し、順方向リンク１１２４および逆方向リンク１１２６は共通の周波数帯を利用することができる。
【００８９】
アンテナの各グループおよび／またはそれらが通信するように指定されたエリアは、基地局１１０２のセクタと呼ばれることがある。たとえば、アンテナグループは、基地局１１０２によってカバーされるエリアのセクタ中のモバイルデバイスと通信するように設計され得る。順方向リンク１１１８および１１２４を介した通信では、基地局１１０２の送信アンテナは、モバイルデバイス１１１６および１１２２についての順方向リンク１１１８および１１２４の信号対雑音比を改善するためにビームフォーミングを利用することができる。また、基地局１１０２が、関連するカバレージ中に不規則に散在するモバイルデバイス１１１６および１１２２に送信するためにビームフォーミングを利用する間は、基地局が単一のアンテナを介してその基地局のすべてのモバイルデバイスに送信する場合と比較して、隣接セル内のモバイルデバイスは干渉を受けにくくなり得る。その上、モバイルデバイス１１１６および１１２２は、図示のようにピアツーピアまたはアドホック技術を使用して互いに直接通信することができる。一例によれば、システム１１００は、多入力多出力（ＭＩＭＯ）通信システム、または基地局１１０２とモバイルデバイス１１１６および／または１１２２との間に複数のキャリアを割り当てることを可能にする同様のシステムであり得る。たとえば、基地局１１０２は、本明細書で説明する装置および／または１つまたは複数のフェムトノードに対応することができ、モバイルデバイス１１１６および１１２２は、装置２００に対応し、したがって、基地局１１０２から、または基地局１１０２からの干渉をキャンセルすることに部分的によってブロードキャストチャネルを復号することができる。
【００９０】
図１２に、例示的なワイヤレス通信システム１２００を示す。ワイヤレス通信システム１２００には、簡潔のために、１つの基地局１２１０と、１つのモバイルデバイス１２５０とを示してある。ただし、システム１２００は、２つ以上の基地局および／または２つ以上のモバイルデバイスを含むことができ、追加の基地局および／またはモバイルデバイスは、以下で説明する例示的な基地局１２１０およびモバイルデバイス１２５０と実質的に同様または異なるものであり得ることを諒解されたい。さらに、基地局１２１０および／またはモバイルデバイス１２５０は、それらの間のワイヤレス通信を可能にするために、本明細書で説明するシステム（図１〜図３、図１０、および図１１）、フレーム構造（図４）、方法（図５〜図８）、および／またはモバイルデバイス（図９）を採用することができることを諒解されたい。たとえば、本明細書で説明するシステムおよび／または方法の構成要素または機能は、以下で説明するメモリ１２３２および／または１２７２あるいはプロセッサ１２３０および／または１２７０の一部であり得、ならびに／あるいは開示する機能を実行するためにプロセッサ１２３０および／または１２７０によって実行され得る。
【００９１】
基地局１２１０において、いくつかのデータストリームのトラフィックデータがデータソース１２１２から送信（ＴＸ）データプロセッサ１２１４に与えられる。一例によれば、各データストリームは、それぞれのアンテナを介して送信され得る。ＴＸデータプロセッサ１２１４は、トラフィックデータストリーム用に選択された特定のコーディング方式に基づいてそのデータストリームをフォーマットし、コーディングし、インターリーブして、コード化データを与える。
【００９２】
各データストリームのコード化データは、直交周波数分割多重化（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される既知のデータパターンであり、チャネル応答を推定するためにモバイルデバイス１２５０において使用され得る。各データストリームの多重化されたパイロットおよびコード化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）されて、変調シンボルが与えられ得る。各データストリームのデータレート、コーディング、および変調は、プロセッサ１２３０によって実行または提供される命令によって判断され得る。
【００９３】
データストリームの変調シンボルはＴＸ  ＭＩＭＯプロセッサ１２２０に与えられ得、ＴＸ  ＭＩＭＯプロセッサ１２２０は、（たとえば、ＯＦＤＭ用に）変調シンボルをさらに処理することができる。ＴＸ  ＭＩＭＯプロセッサ１２２０は、次いで、ＮT個の変調シンボルストリームをＮT個の送信機（ＴＭＴＲ）１２２２ａ〜１２２２ｔに与える。様々な実施形態では、ＴＸ  ＭＩＭＯプロセッサ１２２０は、データストリームのシンボルと、シンボルの送信元であるアンテナとにビームフォーミング重みを適用する。
【００９４】
各送信機１２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。さらに、送信機１２２２ａ〜１２２２ｔからのＮT個の被変調信号は、それぞれＮT個のアンテナ１２２４ａ〜１２２４ｔから送信される。
【００９５】
モバイルデバイス１２５０では、送信された被変調信号はＮR個のアンテナ１２５２ａ〜１２５２ｒによって受信され、各アンテナ１２５２からの受信信号は、それぞれの受信機（ＲＣＶＲ）１２５４ａ〜１２５４ｒに与えられる。各受信機１２５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００９６】
ＲＸデータプロセッサ１２６０は、ＮR個の受信機１２５４からＮR個の受信シンボルストリームを受信し、特定の受信機処理技法に基づいて処理して、ＮT個の「検出」シンボルストリームを与えることができる。ＲＸデータプロセッサ１２６０は、各検出シンボルストリームを復調し、デインターリーブし、復号して、データストリームのトラフィックデータを復元することができる。ＲＸデータプロセッサ１２６０による処理は、基地局１２１０においてＴＸ  ＭＩＭＯプロセッサ１２２０およびＴＸデータプロセッサ１２１４によって実行される処理と相補的なものである。
【００９７】
逆方向リンクメッセージは、通信リンクおよび／または受信データストリームに関する様々なタイプの情報を備えることができる。逆方向リンクメッセージは、データソース１２３６から複数のデータストリームのトラフィックデータをも受信するＴＸデータプロセッサ１２３８によって処理され、変調器１２８０によって変調され、送信機１２５４ａ〜１２５４ｒによって調整され、基地局１２１０に戻され得る。
【００９８】
基地局１２１０において、モバイルデバイス１２５０からの被変調信号は、アンテナ１２２４によって受信され、受信機１２２２によって調整され、復調器１２４０によって復調され、ＲＸデータプロセッサ１２４２によって処理されて、モバイルデバイス１２５０によって送信された逆方向リンクメッセージが抽出される。さらに、プロセッサ１２３０は、抽出されたメッセージを処理して、ビームフォーミング重みを判断するためにどのプリコーディング行列を使用すべきかを判断することができる。
【００９９】
プロセッサ１２３０および１２７０は、それぞれ基地局１２１０およびモバイルデバイス１２５０における動作を指示（たとえば、制御、調整、管理など）することができる。それぞれのプロセッサ１２３０および１２７０は、プログラムコードおよびデータを記憶するメモリ１２３２および１２７２に結合され得る。その上、プロセッサ１２３０および１２７０は、いくつかのＲＳトーンを選択、重み付け、または分類すること、フェムトノードによって使用されるＲＳトーンをミュートすることなどによって、ブロードキャストチャネルを復号するのを支援することができる。
【０１００】
本明細書で開示する実施形態に関して説明した様々な例示的なロジック、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１０１】
１つまたは複数の態様では、説明した機能、方法、またはアルゴリズムは、ハードウェア、ソフトウェア、ファームウェア、またはそれらの任意の組合せで実装され得る。ソフトウェアで実装される場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せも、コンピュータ可読媒体の範囲内に含まれるべきである。
【０１０２】
上記の開示は、例示的な態様および／または実施形態について論じたが、添付の特許請求の範囲によって定義される説明した態様および／または実施形態の範囲から逸脱することなく、様々な変更および改変を本明細書で行い得ることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
【図１】
2015122765.tif 000003
【図２】
2015122765.tif 000004
【図３】
2015122765.tif 000005
【図４】
2015122765.tif 000006
【図５】
2015122765.tif 000007
【図６】
2015122765.tif 000008
【図７】
2015122765.tif 000009
【図８】
2015122765.tif 000010
【図９】
2015122765.tif 000011
【図１０】
2015122765.tif 000012
【図１１】
2015122765.tif 000013
【図１２】
2015122765.tif 000014
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
サブフレーム中で第２の基地局のチャネルを復号するのを助けるために第１の基地局においてトーンをミュートするための方法であって、
前記第２の基地局がその上で基準信号を送信する１つまたは複数のトーンのロケーションを判断することと、ここで、前記１つまたは複数のトーンのロケーションは、前記第１の基地局がその上でブロードキャストチャネルを送信するサブフレームのサブセット内である、
前記第１の基地局で、前記サブフレームのサブセット中の前記１つまたは複数のトーンの前記ロケーションに対応するトーンのサブセットをミュートすることと
を備える、方法。
【請求項２】
前記１つまたは複数のトーンの前記ロケーションは、前記第１の基地局がその上で物理ブロードキャストチャネル（ＰＢＣＨ）を送信する前記サブフレームのサブセット内である、
請求項１に記載の方法。
【請求項３】
前記ミュートすることは、前記１つまたは複数のトーンに対応する直交周波数分割多重化シンボルのサブセット上の複数の中心リソースブロックに対応するトーンの前記サブセットをミュートすることを備える、
請求項１に記載の方法。
【請求項４】
サブフレーム中で第２の基地局のチャネルを復号するのを助けるために第１の基地局においてトーンをミュートするための装置であって、
前記第２の基地局がその上で基準信号を送信する１つまたは複数のトーンのロケーションを判断するための手段と、ここで、前記１つまたは複数のトーンのロケーションは、前記第１の基地局がその上でブロードキャストチャネルを送信するサブフレームのサブセット内である、
前記第１の基地局で、前記サブフレームのサブセット中の前記１つまたは複数のトーンの前記ロケーションに対応するトーンのサブセットをミュートするための手段と
を備える、装置。
【請求項５】
前記１つまたは複数のトーンの前記ロケーションは、前記第１の基地局がその上で物理ブロードキャストチャネル（ＰＢＣＨ）を送信する前記サブフレームのサブセット内である、
請求項４に記載の装置。
【請求項６】
サブフレーム中で第２の基地局のチャネルを復号するのを助けるために第１の基地局においてトーンをミュートするための装置であって、
少なくとも１つのプロセッサであって、
前記第２の基地局がその上で基準信号を送信する１つまたは複数のトーンのロケーションを判断することと、ここで、前記１つまたは複数のトーンのロケーションは、前記第１の基地局がその上でブロードキャストチャネルを送信するサブフレームのサブセット内である、
前記第１の基地局で、前記サブフレームのサブセット中の前記１つまたは複数のトーンの前記ロケーションに対応するトーンのサブセットをミュートすることと
を行うように構成された、少なくとも１つのプロセッサと、
前記少なくとも１つのプロセッサに結合されたメモリと
を備える、装置。
【請求項７】
前記１つまたは複数のトーンの前記ロケーションは、前記第１の基地局がその上で物理ブロードキャストチャネル（ＰＢＣＨ）を送信する前記サブフレームのサブセット内である、
請求項６に記載の装置。
【請求項８】
前記少なくとも１つのプロセッサは、前記１つまたは複数のトーンに対応する直交周波数分割多重化シンボルのサブセット上の複数の中心リソースブロックに対応するトーンの前記サブセットをミュートする、
請求項６に記載の装置。
【請求項９】
サブフレーム中で第２の基地局のチャネルを復号するのを助けるために第１の基地局においてトーンをミュートするためのコンピュータプログラム製品であって、
前記第２の基地局がその上で基準信号を送信する１つまたは複数のトーンのロケーションを判断することを少なくとも１つのコンピュータに行わせるためのコードと、ここで、前記１つまたは複数のトーンのロケーションは、前記第１の基地局がその上でブロードキャストチャネルを送信するサブフレームのサブセット内である、
前記第１の基地局で、前記サブフレームのサブセット中の前記１つまたは複数のトーンの前記ロケーションに対応するトーンのサブセットをミュートすることを前記少なくとも１つのコンピュータに行わせるためのコードと
を備える、コンピュータプログラム。
【請求項１０】
前記１つまたは複数のトーンの前記ロケーションは、前記第１の基地局がその上で物理ブロードキャストチャネル（ＰＢＣＨ）を送信する前記サブフレームのサブセット内である、
請求項９に記載のコンピュータプログラム。
【手続補正２】
【補正対象書類名】明細書
【補正対象項目名】０１０２
【補正方法】変更
【補正の内容】
【０１０２】
上記の開示は、例示的な態様および／または実施形態について論じたが、添付の特許請求の範囲によって定義される説明した態様および／または実施形態の範囲から逸脱することなく、様々な変更および改変を本明細書で行い得ることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に、本願出願の当初の特許請求の範囲に記載された発明を付記する。
［Ｃ１］
第１の基地局から複数の基準信号（ＲＳ）中で複数の基準信号トーンを受信することと、
少なくとも１つの他の基地局からの干渉を除去するために前記複数のＲＳトーンを修正することと、
修正された前記複数のＲＳトーンの品質を判断することと、
前記複数のＲＳトーンの前記品質に基づいて少なくとも１つのデータトーンの少なくとも１つのチャネル推定値を取得することと、
前記少なくとも１つのチャネル推定値に基づいて前記第１の基地局のデータチャネルを復号することと
を備える、ワイヤレス通信の方法。
［Ｃ２］
前記複数のＲＳトーンの前記品質を前記判断することは、前記修正することの間に、前記少なくとも１つの他の基地局によって前記複数のＲＳトーン上で送信された信号がキャンセルされるかどうかを判断することを備える、
［Ｃ１］に記載の方法。
［Ｃ３］
前記複数のＲＳトーンの前記品質を前記判断することは、前記複数のＲＳトーン上で前記少なくとも１つの他の基地局によって信号が送信されるかどうかを判断することを備える、
［Ｃ１］に記載の方法。
［Ｃ４］
前記複数のＲＳトーン上で前記少なくとも１つの他の基地局によって前記信号が送信されるかどうかを前記判断することは、
前記第１の基地局と前記少なくとも１つの他の基地局との間のリソース区分、
前記第１の基地局と前記少なくとも１つの他の基地局とのマルチメディアブロードキャストオーバー単一周波数ネットワーク（ＭＢＳＦＮ）／オールモストブランクサブフレーム（ＡＢＳ）構成、あるいは
前記複数のＲＳトーンおよび干渉キャンセルＲＳトーンのうちの少なくとも１つ、別のデータトーン、ヌルトーン、あるいは前記ＭＢＳＦＮ／ＡＢＳ構成に関係する１つまたは複数のトーンの間の受信電力比較
のうちの少なくとも１つに部分的に基づく、［Ｃ３］に記載の方法。
［Ｃ５］
前記複数のＲＳトーンの前記品質を前記判断することは、前記データチャネルからの前記複数のＲＳトーンの時間における距離、周波数オフセット、またはワイヤレスチャネルの変化率のうちの１つまたは複数に部分的に基づく、
［Ｃ１］に記載の方法。
［Ｃ６］
前記データチャネルを復号することは、前記少なくとも１つのデータトーンのための少なくとも２つのチャネル推定値を使用して復号することを試みることを備える、
［Ｃ１］に記載の方法。
［Ｃ７］
前記少なくとも２つのチャネル推定値は、
前記複数のＲＳトーンの組合せ、または
前記複数のＲＳトーンに対する異なる重み
のうちの少なくとも１つを使用する、［Ｃ６］に記載の方法。
［Ｃ８］
前記複数のＲＳトーンの前記品質に関係する前記複数のＲＳトーンの分類に基づいて、前記複数のＲＳトーンの前記組合せまたは前記複数のＲＳトーンに対する前記異なる重みのうちの前記少なくとも１つを選択することをさらに備える、
［Ｃ７］に記載の方法。
［Ｃ９］
前記データチャネルと同様の品質を有すると判断された前記複数のＲＳトーンのサブセットと、データトーンのセットと、ヌルトーンのセットとのうちの１つまたは複数に基づいて少なくとも１つの干渉推定値を取得することをさらに備え、前記復号することは、前記少なくとも１つの干渉推定値にさらに基づく、
［Ｃ１］に記載の方法。
［Ｃ１０］
前記第１の基地局と前記少なくとも１つの他の基地局とが衝突しているＲＳトーンを有するか衝突していないＲＳトーンを有するか、前記第１の基地局と前記少なくとも１つの他の基地局との間のリソース区分、あるいは前記複数のＲＳトーンがその上で受信されるサブフレームがマルチメディアブロードキャスト単一周波数ネットワーク（ＭＢＳＦＮ）サブフレーム、オールモストブランクサブフレーム（ＡＢＳ）構成であるかどうか、あるいは前記複数のＲＳトーンおよび干渉キャンセルＲＳトーンのうちの少なくとも１つまたは別のデータトーンの間の受信電力比較に基づいて、前記複数のＲＳトーンの前記サブセットを判断することをさらに備える、
［Ｃ９］に記載の方法。
［Ｃ１１］
前記修正することは、前記少なくとも１つの他の基地局から受信されたＲＳ、別のデータチャネル、またはブロードキャストチャネルのうちの１つまたは複数によって引き起こされる前記干渉をキャンセルすることを備える、
［Ｃ１］に記載の方法。
［Ｃ１２］
前記データチャネルは、プライマリブロードキャストチャネルである、
［Ｃ１］に記載の方法。
［Ｃ１３］
第１の基地局から複数の基準信号（ＲＳ）中で複数の基準信号トーンを受信するための手段と、
少なくとも１つの他の基地局からの干渉を除去するために前記複数のＲＳトーンを修正するための手段と、
修正された前記複数のＲＳトーンの品質を判断するための手段と、
前記複数のＲＳトーンの前記品質に基づいて少なくとも１つのデータトーンの少なくとも１つのチャネル推定値を取得するための手段と、
前記少なくとも１つのチャネル推定値に基づいて前記第１の基地局のデータチャネルを復号するための手段と
を備える、ワイヤレス通信のための装置。
［Ｃ１４］
判断するための前記手段は、修正するための前記手段が、前記少なくとも１つの他の基地局によって前記複数のＲＳトーン上で送信された信号をキャンセルするかどうかに基づいて前記複数のＲＳトーンの前記品質を判断する、
［Ｃ１３］に記載の装置。
［Ｃ１５］
判断するための前記手段は、前記複数のＲＳトーン上で前記少なくとも１つの他の基地局によって信号が送信されるかどうかに部分的に基づいて前記複数のＲＳトーンの前記品質を判断する、
［Ｃ１３］に記載の装置。
［Ｃ１６］
少なくとも１つのプロセッサであって、
第１の基地局から複数の基準信号（ＲＳ）中で複数の基準信号トーンを受信することと、
少なくとも１つの他の基地局からの干渉を除去するために前記複数のＲＳトーンを修正することと、
修正された前記複数のＲＳトーンの品質を判断することと、
前記複数のＲＳトーンの前記品質に基づいて少なくとも１つのデータトーンの少なくとも１つのチャネル推定値を取得することと、
前記少なくとも１つのチャネル推定値に基づいて前記第１の基地局のデータチャネルを復号することと
を行うように構成された、少なくとも１つのプロセッサと、
前記少なくとも１つのプロセッサに結合されたメモリと
を備える、ワイヤレス通信のための装置。
［Ｃ１７］
前記少なくとも１つのプロセッサは、前記複数のＲＳトーンを前記少なくとも修正することの一部として、前記少なくとも１つの他の基地局によって前記複数のＲＳトーン上で送信された信号がキャンセルされるかどうかに基づいて前記複数のＲＳトーンの前記品質を判断する、
［Ｃ１６］に記載の装置。
［Ｃ１８］
前記少なくとも１つのプロセッサは、前記複数のＲＳトーン上で前記少なくとも１つの他の基地局によって信号が送信されるかどうかに基づいて前記複数のＲＳトーンの前記品質を判断する、
［Ｃ１６］に記載の装置。
［Ｃ１９］
前記少なくとも１つのプロセッサは、
前記第１の基地局と前記少なくとも１つの他の基地局との間のリソース区分、
前記第１の基地局と前記少なくとも１つの他の基地局とのマルチメディアブロードキャストオーバー単一周波数ネットワーク（ＭＢＳＦＮ）／オールモストブランクサブフレーム（ＡＢＳ）構成、あるいは
前記複数のＲＳトーンおよび干渉キャンセルＲＳトーンのうちの少なくとも１つ、別のデータトーン、ヌルトーン、あるいは前記ＭＢＳＦＮ／ＡＢＳ構成に関係する１つまたは複数のトーンの間の受信電力比較
のうちの少なくとも１つに部分的に基づいて、前記複数のＲＳトーン上で前記少なくとも１つの他の基地局によって前記信号が送信されるかどうかを判断するようにさらに構成される、
［Ｃ１８］に記載の装置。
［Ｃ２０］
前記少なくとも１つのプロセッサは、前記データチャネルからの前記複数のＲＳトーンの時間における距離、周波数オフセット、またはワイヤレスチャネルの変化率のうちの１つまたは複数に部分的に基づいて前記複数のＲＳトーンの前記品質を判断する、
［Ｃ１６］に記載の装置。
［Ｃ２１］
前記少なくとも１つのプロセッサは、前記少なくとも１つのデータトーンのための少なくとも２つのチャネル推定値を使用して復号することを試みることに基づいて前記データチャネルを復号する、
［Ｃ１６］に記載の装置。
［Ｃ２２］
前記少なくとも２つのチャネル推定値は、
前記複数のＲＳトーンの組合せ、または
前記複数のＲＳトーンに対する異なる重み
のうちの少なくとも１つを使用する、［Ｃ２１］に記載の装置。
［Ｃ２３］
前記少なくとも１つのプロセッサは、前記複数のＲＳトーンの前記品質に関係する前記複数のＲＳトーンの分類に基づいて、前記複数のＲＳトーンの前記組合せまたは前記複数のＲＳトーンに対する前記異なる重みのうちの前記少なくとも１つを選択するようにさらに構成される、
［Ｃ２２］に記載の装置。
［Ｃ２４］
前記少なくとも１つのプロセッサは、前記データチャネルと同様の品質を有すると判断された前記複数のＲＳトーンのサブセットと、データトーンのセットと、ヌルトーンのセットとのうちの１つまたは複数に基づいて少なくとも１つの干渉推定値を取得するようにさらに構成され、前記少なくとも１つのプロセッサは、前記少なくとも１つの干渉推定値にさらに基づいて前記データチャネルを復号する、
［Ｃ１６］に記載の装置。
［Ｃ２５］
前記少なくとも１つのプロセッサは、前記第１の基地局と前記少なくとも１つの他の基地局とが衝突しているＲＳトーンを有するか衝突していないＲＳトーンを有するか、前記第１の基地局と前記少なくとも１つの他の基地局との間のリソース区分、あるいは前記複数のＲＳトーンがその上で受信されるサブフレームがマルチメディアブロードキャスト単一周波数ネットワーク（ＭＢＳＦＮ）サブフレーム、オールモストブランクサブフレーム（ＡＢＳ）構成であるかどうか、あるいは前記複数のＲＳトーンおよび干渉キャンセルＲＳトーンのうちの少なくとも１つまたは別のデータトーンの間の受信電力比較に基づいて、前記複数のＲＳトーンの前記サブセットを判断する、
［Ｃ２４］に記載の装置。
［Ｃ２６］
前記少なくとも１つのプロセッサは、前記少なくとも１つの他の基地局から受信されたＲＳ、別のデータチャネル、またはブロードキャストチャネルのうちの１つまたは複数によって引き起こされる前記干渉をキャンセルすることに部分的によって前記複数のＲＳトーンを修正する、
［Ｃ１６］に記載の装置。
［Ｃ２７］
前記データチャネルは、プライマリブロードキャストチャネルである、
［Ｃ１６］に記載の装置。
［Ｃ２８］
第１の基地局から複数の基準信号（ＲＳ）中で複数の基準信号トーンを受信することを少なくとも１つのコンピュータに行わせるためのコードと、
少なくとも１つの他の基地局からの干渉を除去するために前記複数のＲＳトーンを修正することを前記少なくとも１つのコンピュータに行わせるためのコードと、
修正された前記複数のＲＳトーンの品質を判断することを前記少なくとも１つのコンピュータに行わせるためのコードと、
前記複数のＲＳトーンの前記品質に基づいて少なくとも１つのデータトーンの少なくとも１つのチャネル推定値を取得することを前記少なくとも１つのコンピュータに行わせるためのコードと、
前記少なくとも１つのチャネル推定値に基づいて前記第１の基地局のデータチャネルを復号することを前記少なくとも１つのコンピュータに行わせるためのコードと
を備える、コンピュータ可読媒体
を備える、ワイヤレス通信のためのコンピュータプログラム製品。
［Ｃ２９］
判断することを前記少なくとも１つのコンピュータに行わせるための前記コードは、前記修正することの間に、前記少なくとも１つの他の基地局によって前記複数のＲＳトーン上で送信された信号がキャンセルされるかどうかに基づいて前記複数のＲＳトーンの前記品質を判断する、
［Ｃ２８］に記載のコンピュータプログラム製品。
［Ｃ３０］
判断することを前記少なくとも１つのコンピュータに行わせるための前記コードは、前記複数のＲＳトーン上で前記少なくとも１つの他の基地局によって信号が送信されるかどうかに基づいて前記複数のＲＳトーンの前記品質を判断する、
［Ｃ２８］に記載のコンピュータプログラム製品。
［Ｃ３１］
サブフレーム中で第２の基地局のチャネルを復号するのを助けるために第１の基地局においてトーンをミュートするための方法であって、
基地局がその上で基準信号を送信する１つまたは複数のトーンのロケーションを判断することと、
前記１つまたは複数のトーンの前記ロケーションに対応するトーンのサブセットをミュートすることと
を備える、方法。
［Ｃ３２］
前記ロケーションを前記判断することは、前記基地局がその上で物理ブロードキャストチャネルを送信するサブフレームのサブセット中の前記１つまたは複数のトーンの前記ロケーションを判断することを備える、
［Ｃ３１］に記載の方法。
［Ｃ３３］
前記ミュートすることは、前記１つまたは複数のトーンに対応する直交周波数分割多重化シンボルのサブセット上の複数の中心リソースブロックに対応するトーンの前記サブセットをミュートすることを備える、
［Ｃ３１］に記載の方法。
［Ｃ３４］
サブフレーム中で第２の基地局のチャネルを復号するのを助けるために第１の基地局においてトーンをミュートするための装置であって、
基地局がその上で基準信号を送信する１つまたは複数のトーンのロケーションを判断するための手段と、
前記１つまたは複数のトーンの前記ロケーションに対応するトーンのサブセットをミュートするための手段と
を備える、装置。
［Ｃ３５］
前記ロケーションを前記判断することは、前記基地局がその上で物理ブロードキャストチャネルを送信するサブフレームのサブセット中の前記１つまたは複数のトーンの前記ロケーションを判断することを備える、
［Ｃ３４］に記載の装置。
［Ｃ３６］
サブフレーム中で第２の基地局のチャネルを復号するのを助けるために第１の基地局においてトーンをミュートするための装置であって、
少なくとも１つのプロセッサであって、
基地局がその上で基準信号を送信する１つまたは複数のトーンのロケーションを判断することと、
前記１つまたは複数のトーンの前記ロケーションに対応するトーンのサブセットをミュートすることと
を行うように構成された、少なくとも１つのプロセッサと、
前記少なくとも１つのプロセッサに結合されたメモリと
を備える、装置。
［Ｃ３７］
前記少なくとも１つのプロセッサは、前記基地局がその上で物理ブロードキャストチャネルを送信するサブフレームのサブセット中の前記１つまたは複数のトーンの前記ロケーションを判断する、
［Ｃ３６］に記載の装置。
［Ｃ３８］
前記少なくとも１つのプロセッサは、前記１つまたは複数のトーンに対応する直交周波数分割多重化シンボルのサブセット上の複数の中心リソースブロックに対応するトーンの前記サブセットをミュートする、
［Ｃ３６］に記載の装置。
［Ｃ３９］
サブフレーム中で第２の基地局のチャネルを復号するのを助けるために第１の基地局においてトーンをミュートするためのコンピュータプログラム製品であって、
基地局がその上で基準信号を送信する１つまたは複数のトーンのロケーションを判断することを少なくとも１つのコンピュータに行わせるためのコードと、
前記１つまたは複数のトーンの前記ロケーションに対応するトーンのサブセットをミュートすることを前記少なくとも１つのコンピュータに行わせるためのコードと
を備える、コンピュータ可読媒体
を備える、コンピュータプログラム製品。
［Ｃ４０］
判断することを前記少なくとも１つのコンピュータに行わせるための前記コードは、前記基地局がその上で物理ブロードキャストチャネルを送信するサブフレームのサブセット中の前記１つまたは複数のトーンの前記ロケーションを判断する、
［Ｃ３９］に記載のコンピュータプログラム製品。
【外国語明細書】
2015122765000001.pdf